(57)【要約】本願発明は、リモートコントロールシステム、リモートコントローラ、表示装置及びリモートコントロール方法に関し、電子技術分野に属する。前記リモートコントロールシステムは、決定キー及び異なる方向それぞれに対応する方向キーを備えるリモートコントローラと、前記リモートコントローラにより制御される表示装置とを含み、前記リモートコントローラは、方向キーが押されると、方向制御信号を送信し、決定キーが押されると、決定制御信号を送信する。前記表示装置は、第１の状態において所定方向の方向制御信号が受信されると、カードテーブルが表示される第２の状態に切替えられ、さらに、第２の状態において決定制御信号が受信されると、選択カードに対応するサブレベルコンテンツは表示されるがカードテーブルは表示されない第１の状態に切替えられる。本願発明は、数字キーを利用せず、リモートコントローラ上の方向キーと決定キーのみで異なるサブレベルコンテンツの間の切替え操作を実現することができるので、入力方式が簡単で効率が高いという効果を有する。【選択図】図１
2016507919.tif 000002
【特許請求の範囲】
【請求項１】
決定キー及び異なる方向それぞれに対応する方向キーを備えるリモートコントローラと、
前記リモートコントローラにより制御される表示装置と
を含み、
前記リモートコントローラは、前記方向キーが押されると、前記表示装置に、当該方向キーに対応する方向の方向制御信号を送信し、
前記表示装置は、サブレベルコンテンツは表示されるがカードテーブルは表示されない第１の状態において、所定方向の前記方向制御信号が受信されると、順に配列された一つの選択カードと少なくとも一つの候補カードを含み且つ少なくとも一つの切替え方向を有する前記カードテーブルが表示される第２の状態に切替えられ、
前記表示装置は、さらに、前記第２の状態において、前記切替え方向に対応する前記方向制御信号が受信されると、前記切替え方向に基づいて、前記カードテーブル中の一つの候補カードを前記選択カードに切替え、
前記リモートコントローラは、さらに、前記決定キーが押されると、前記表示装置に決定制御信号を送信し、
前記表示装置は、前記第２の状態において、前記決定制御信号が受信されると、前記選択カードに対応するサブレベルコンテンツは表示されるが前記カードテーブルは表示されない第１の状態に切り替えられる
ことを特徴とするリモートコントロールシステム。
【請求項２】
前記表示装置は、さらに、
前記第２の状態において、前記切替え方向と対応しない前記方向制御信号が受信されると、切替え方向又は配列方式が前記カードテーブルと異なる他のカードテーブルの表示に切替えられる
ことを特徴とする請求項１に記載のリモートコントロールシステム。
【請求項３】
前記表示装置は、さらに、
前記第１の状態において、前記所定方向と対応しない前記方向制御信号が受信されると、前記方向制御信号及び各カードの間の所定の配列方式に基づいて、現在表示されているサブレベルコンテンツを他のカードに対応するサブレベルコンテンツに直接切替える
ことを特徴とする請求項１に記載のリモートコントロールシステム。
【請求項４】
前記表示装置は、さらに、
前記第１の状態において、前記決定制御信号が受信されると、表示を一時的に停止するか、又は、サブレベルコンテンツ情報リストが表示される第３の状態に切替えられ、
前記サブレベルコンテンツ情報リストは、順に配列され且少なくとも一つの切替え方向を有する各サブレベルコンテンツの概要情報を含み、前記概要情報は、番組番号、チャンネル名及び番組名中の少なくとも一つを含む
ことを特徴とする請求項１に記載のリモートコントロールシステム。
【請求項５】
前記表示装置は、
前記第１の状態において指定方向の前記方向制御信号が受信され且つ前記第１の状態において現在表示されているサブレベルコンテンツがローカル再生コンテンツ又はオンライン再生コンテンツである場合、前記現在表示されているサブレベルコンテンツ上にＰＩＰウィンドウにより他のサブレベルコンテンツを表示する第４の状態に切替えられ、
前記第４の状態において、前記決定制御信号が受信されると、前記ＰＩＰウィンドウ中に表示された前記他のサブレベルコンテンツをフルスクリーン表示する第５の状態に切替えられる
ことを特徴とする請求項１に記載のリモートコントロールシステム。
【請求項６】
前記所定方向として、左方向と右方向中の少なくとも一つを含み、左方向と右方向とを同時に含む場合、これらの二つの方向のそれぞれは、互いに異なる配列方式及び／又は互いに異なる切替え方向を有するカードテーブルに対応し、
前記所定方向として、上方向と下方向中の少なくとも一つを含み、上方向と下方向とを同時に含む場合、これらの二つの方向のそれぞれは、互いに異なる配列方式及び／又は互いに異なる切替え方向を有するカードテーブルに対応する
ことを特徴とする請求項１乃至請求項５の何れか１項に記載のリモートコントロールシステム。
【請求項７】
前記カードテーブルは、横方向カードテーブル、縦方向カードテーブル及びマトリックスカードテーブル中の少なくとも一つを含み、
前記横方向カードテーブルは、所定の配列方式により配列された一つの選択カードと少なくとも一つの候補カードを含み、切替え方向として、左方向及び／又は右方向を含み、
前記縦方向カードテーブルは、所定の配列方式により配列された一つの選択カードと少なくとも一つの候補カードを含み、切替え方向として、上方向及び／又は下方向を含み、
前記マトリックスカードテーブルは、所定の配列方式により配列された一つの選択カードと少なくとも二つの候補カードを含み、切替え方向として、左方向、右方向、上方向及び下方向中の少なくとも二つの互いに垂直である方向を含む
ことを特徴とする請求項６に記載のリモートコントロールシステム。
【請求項８】
前記所定の配列方式は、
過去の視聴時間の前後の順に順番付けする方式、又は、
過去の視聴回数の多少の順に順番付けする方式、又は、
マークされた回数の多少の順に順番付けする方式、又は、
各カードに対応するサブレベルコンテンツの番組番号の大小の順に順番付けする方式、を含む
ことを特徴とする請求項７に記載のリモートコントロールシステム。
【請求項９】
異なる方向それぞれに対応する方向キーと、
決定キーと、
前記方向キー及び前記決定キーのそれぞれと電気的に接続される制御ＩＣと、
前記制御ＩＣと電気的に接続される発信機と
を備え、
前記制御ＩＣは、前記方向キーが押されると、前記発信機を制御して、表示装置に、当該方向キーに対応する方向の方向制御信号を送信し、前記方向制御信号は、サブレベルコンテンツは表示されるがカードテーブルは表示されない第１の状態において、前記表示装置により受信され、且つ所定方向と対応する場合、前記表示装置をトリガーして前記カードテーブルが表示される第２の状態に切替えるための信号であり、当該カードテーブルは、順に配列された一つの選択カードと少なくとも一つの候補カードを含むとともに、少なくとも一つの切替え方向を有し、前記方向制御信号は、さらに、前記第２の状態において前記表示装置により受信され且つ前記切替え方向と対応する場合、前記表示装置をトリガーして、前記切替え方向に基づいて、前記カードテーブル中の一つの候補カードを前記選択カードに切替えるための信号であり、
前記制御ＩＣは、さらに、前記決定キーが押されると、前記発信機を制御して、前記表示装置に決定制御信号を送信し、前記決定制御信号は、前記第２の状態において前記表示装置により受信されると、前記選択カードに対応するサブレベルコンテンツは表示されるが前記カードテーブルは表示されない第１の状態に切替えるための信号である
ことを特徴とするリモートコントローラ。
【請求項１０】
前記方向制御信号は、さらに、前記第２の状態において前記表示装置により受信され且つ前記切替え方向と対応しない場合、前記表示装置をトリガーして他のカードテーブルの表示に切替えるための信号であり、
前記他のカードテーブルの切替え方向又は配列方式は前記カードテーブルと異なる
ことを特徴とする請求項９に記載のリモートコントローラ。
【請求項１１】
前記方向制御信号は、さらに、前記第１の状態において前記表示装置により受信され且つ前記所定方向と対応しない場合、前記表示装置をトリガーして、前記方向制御信号及び各カードの間の所定の配列方式に基づいて、現在表示されているサブレベルコンテンツを他のカードに対応するサブレベルコンテンツに直接切替えるための信号である
ことを特徴とする請求項３に記載のリモートコントローラ。
【請求項１２】
前記決定制御信号は、さらに、前記第１の状態において前記表示装置により受信されると、前記表示装置をトリガーして表示を一時的に停止するか、又は、前記表示装置をトリガーして、サブレベルコンテンツ情報リストが表示される第３の状態に切替えるための信号であり、
前記サブレベルコンテンツ情報リストは、順に配列され且少なくとも一つの切替え方向を有する各サブレベルコンテンツの概要情報を含み、前記概要情報は、番組番号、チャンネル名及び番組名中の少なくとも一つを含む
ことを特徴とする請求項９に記載のリモートコントローラ。
【請求項１３】
前記方向制御信号は、さらに、前記第１の状態において前記表示装置により受信され、且つ指定方向と対応し、且つ前記第１の状態において現在表示されているサブレベルコンテンツがローカル再生コンテンツ又はオンライン再生コンテンツである場合、前記表示装置をトリガーして、前記現在表示されているサブレベルコンテンツ上にＰＩＰウィンドウにより他のサブレベルコンテンツを表示する第４の状態に切替えるための信号であり、
前記決定制御信号は、さらに、前記第４の状態において前記表示装置により受信されると、前記表示装置をトリガーして、前記ＰＩＰウィンドウ中に表示された前記他のサブレベルコンテンツをフルスクリーン表示する第５の状態に切替えるための信号である
ことを特徴とする請求項９に記載のリモートコントローラ。
【請求項１４】
前記所定方向として、左方向と右方向中の少なくとも一つを含み、左方向と右方向とを同時に含む場合、これらの二つの方向のそれぞれは、互いに異なる配列方式及び／又は互いに異なる切替え方向を有するカードテーブルに対応し、
前記所定方向として、上方向と下方向中の少なくとも一つを含み、上方向と下方向とを同時に含む場合、これらの二つの方向のそれぞれは、互いに異なる配列方式及び／又は互いに異なる切替え方向を有するカードテーブルに対応する
ことを特徴とする請求項９乃至請求項１３の何れか１項に記載のリモートコントローラ。
【請求項１５】
前記カードテーブルは、横方向カードテーブル、縦方向カードテーブル及びマトリックスカードテーブル中の少なくとも一つを含み、
前記横方向カードテーブルは、所定の配列方式により配列された一つの選択カードと少なくとも一つの候補カードを含み、切替え方向として、左方向及び／又は右方向を含み、
前記縦方向カードテーブルは、所定の配列方式により配列された一つの選択カードと少なくとも一つの候補カードを含み、切替え方向として、上方向及び／又は下方向を含み、
前記マトリックスカードテーブルは、所定の配列方式により配列された一つの選択カードと少なくとも二つの候補カードを含み、切替え方向として、左方向、右方向、上方向及び下方向中の少なくとも二つの互いに垂直である方向を含む
ことを特徴とする請求項１４に記載のリモートコントローラ。
【請求項１６】
前記所定の配列方式は、
過去の視聴時間の前後の順に順番付けする方式、又は、
過去の視聴回数の多少の順に順番付けする方式、又は、
マークされた回数の多少の順に順番付けする方式、又は、
各カードに対応するサブレベルコンテンツの番組番号の大小の順に順番付けする方式、を含む
ことを特徴とする請求項１５に記載のリモートコントローラ。
【請求項１７】
受信機と、
前記受信機と電気的に接続される制御ＩＣと、
前記制御ＩＣ電気的に接続される表示アセンブリと
を備え、
前記受信機は、リモートコントローラ上の方向キーが押されたときに前記リモートコントローラから送信される方向制御信号、又は前記リモートコントローラ上の決定キーが押されたときに前記リモートコントローラから送信される決定制御信号を受信し、
前記制御ＩＣは、前記表示アセンブリが、サブレベルコンテンツは表示されるがカードテーブルは表示されない第１の状態にあり、且つ前記受信機が所定方向に対応する前記方向制御信号を受信した場合、前記表示アセンブリを制御して、順に配列された一つの選択カードと少なくとも一つの候補カードを含み且つ少なくとも一つの切替え方向を有する前記カードテーブルが表示される第２の状態に切替え、
前記制御ＩＣは、さらに、前記表示アセンブリが第２の状態にあり、且つ前記受信機が前記切替え方向に対応する前記方向制御信号を受信した場合、前記表示アセンブリを制御して、前記切替え方向に基づいて、前記カードテーブル中の一つの候補カードを前記選択カードに切替え、
前記制御ＩＣは、さらに、前記表示アセンブリが前記第２の状態にあり、且つ前記受信機が前記決定制御信号を受信した場合、前記表示アセンブリを制御して、前記選択カードに対応するサブレベルコンテンツは表示されるが前記カードテーブルは表示されない第１の状態に切替える
ことを特徴とする表示装置。
【請求項１８】
前記制御ＩＣは、さらに、前記表示アセンブリが前記第２の状態にあり、且つ前記受信機が前記切替え方向と対応しない前記方向制御信号を受信した場合、前記表示アセンブリを制御して、切替え方向又は配列方式が前記カードテーブルとは異なる他のカードテーブルの表示に切替える
ことを特徴とする請求項１７に記載の表示装置。
【請求項１９】
前記制御ＩＣは、前記表示アセンブリが前記第１の状態にあり、且つ前記受信機が前記所定方向と対応しない前記方向制御信号を受信した場合、前記表示アセンブリを制御して、前記方向制御信号及び各カードの間の所定の配列方式に基づいて、現在表示されているサブレベルコンテンツを他のカードに対応するサブレベルコンテンツに直接切替える
ことを特徴とする請求項１７に記載の表示装置。
【請求項２０】
前記制御ＩＣは、前記表示アセンブリが前記第１の状態にあり、且つ前記受信機が前記決定制御信号を受信した場合、前記表示アセンブリを制御して表示を一時的に停止するか、又は、前記表示アセンブリを制御して、サブレベルコンテンツ情報リストが表示される第３の状態に切替え、
前記サブレベルコンテンツ情報リストは、順に配列され且少なくとも一つの切替え方向を有する各サブレベルコンテンツの概要情報を含み、前記概要情報は、番組番号、チャンネル名及び番組名中の少なくとも一つを含む
ことを特徴とする請求項１７に記載の表示装置。
【請求項２１】
前記制御ＩＣは、前記表示アセンブリが前記第１の状態にあり、且つ前記受信機が指定方向の前記方向制御信号を受信し、且つ前記第１の状態において現在表示されているサブレベルコンテンツがローカル再生コンテンツ又はオンライン再生コンテンツである場合、前記表示アセンブリを制御して、前記現在表示されているサブレベルコンテンツ上にＰＩＰウィンドウにより他のサブレベルコンテンツを表示する第４の状態に切替え、
前記制御ＩＣは、前記表示アセンブリが前記第４の状態にあり、且つ前記受信機が前記決定制御信号を受信した場合、前記表示アセンブリを制御して、前記ＰＩＰウィンドウ中に表示された前記他のサブレベルコンテンツをフルスクリーン表示する第５の状態に切替える
ことを特徴とする請求項１７に記載の表示装置。
【請求項２２】
前記所定方向として、左方向と右方向中の少なくとも一つを含み、左方向と右方向とを同時に含む場合、これらの二つの方向のそれぞれは、互いに異なる配列方式及び／又は互いに異なる切替え方向を有するカードテーブルに対応し、
前記所定方向として、上方向と下方向中の少なくとも一つを含み、上方向と下方向とを同時に含む場合、これらの二つの方向のそれぞれは、互いに異なる配列方式及び／又は互いに異なる切替え方向を有するカードテーブルに対応する
ことを特徴とする請求項１７乃至請求項２１の何れか１項に記載の表示装置。
【請求項２３】
前記カードテーブルは、横方向カードテーブル、縦方向カードテーブル及びマトリックスカードテーブル中の少なくとも一つを含み、
前記横方向カードテーブルは、所定の配列方式により配列された一つの選択カードと少なくとも一つの候補カードを含み、切替え方向として、左方向及び／又は右方向を含み、
前記縦方向カードテーブルは、所定の配列方式により配列された一つの選択カードと少なくとも一つの候補カードを含み、切替え方向として、上方向及び／又は下方向を含み、
前記マトリックスカードテーブルは、所定の配列方式により配列された一つの選択カードと少なくとも二つの候補カードを含み、切替え方向として、左方向、右方向、上方向及び下方向中の少なくとも二つの互いに垂直である方向を含む
ことを特徴とする請求項２２に記載の表示装置。
【請求項２４】
前記所定の配列方式は、
過去の視聴時間の前後の順に順番付けする方式、又は、
過去の視聴回数の多少の順に順番付けする方式、又は、
マークされた回数の多少の順に順番付けする方式、又は、
各カードに対応するサブレベルコンテンツの番組番号の大小の順に順番付けする方式、を含む
ことを特徴とする請求項２３に記載の表示装置。
【請求項２５】
リモートコントローラ上の方向キーが押されたときに前記リモートコントローラから送信される方向制御信号、又は前記リモートコントローラ上の決定キーが押されたときに前記リモートコントローラから送信される決定制御信号を受信するステップと、
サブレベルコンテンツは表示されるがカードテーブルは表示されない第１の状態において、所定方向の前記方向制御信号が受信されると、順に配列された一つの選択カードと少なくとも一つの候補カードを含み且つ少なくとも一つの切替え方向を有する前記カードテーブルが表示される第２の状態に切替えるステップと、
前記第２の状態において、前記切替え方向に対応する前記方向制御信号が受信されると、前記切替え方向に基づいて、前記カードテーブル中の一つの候補カードを前記選択カードに切替えるステップと、
前記第２の状態において、前記決定制御信号が受信されると、前記選択カードに対応するサブレベルコンテンツは表示されるが前記カードテーブルは表示されない第１の状態に切替えるステップと
を含むことを特徴とするリモートコントロール方法。
【請求項２６】
前記第２の状態において、前記切替え方向と対応しない前記方向制御信号が受信されると、切替え方向又は配列方式が前記カードテーブルとは異なる他のカードテーブルの表示に切替えるステップ
をさらに含むことを特徴とする請求項２５に記載のリモートコントロール方法。
【請求項２７】
前記第１の状態において、前記所定方向と対応しない前記方向制御信号が受信されると、前記方向制御信号及び各カードの間の所定の配列方式に基づいて、現在表示されているサブレベルコンテンツを他のカードに対応するサブレベルコンテンツに直接切替えるステップ
をさらに含むことを特徴とする請求項２５に記載のリモートコントロール方法。
【請求項２８】
前記第１の状態において、前記決定制御信号が受信されると、表示を一時的に停止するか、又は、サブレベルコンテンツ情報リストが表示される第３の状態に切替えるステップをさらに含み、
前記サブレベルコンテンツ情報リストは、順に配列され且少なくとも一つの切替え方向を有する各サブレベルコンテンツの概要情報を含み、前記概要情報は、番組番号、チャンネル名及び番組名中の少なくとも一つを含む
ことを特徴とする請求項２５に記載のリモートコントロール方法。
【請求項２９】
前記第１の状態において指定方向の前記方向制御信号が受信され且つ前記第１の状態において現在表示されているサブレベルコンテンツがローカル再生コンテンツ又はオンライン再生コンテンツである場合、前記現在表示されているサブレベルコンテンツ上にＰＩＰウィンドウにより他のサブレベルコンテンツを表示する第４の状態に切替えるステップと、
前記第４の状態において、前記決定制御信号が受信されると、前記ＰＩＰウィンドウ中に表示された前記他のサブレベルコンテンツをフルスクリーン表示する第５の状態に切替えるステップと
をさらに含むことを特徴とする請求項２５に記載のリモートコントロール方法。
【請求項３０】
前記所定方向として、左方向と右方向中の少なくとも一つを含み、左方向と右方向とを同時に含む場合、これらの二つの方向のそれぞれは、互いに異なる配列方式及び／又は互いに異なる切替え方向を有するカードテーブルに対応し、
前記所定方向として、上方向と下方向中の少なくとも一つを含み、上方向と下方向とを同時に含む場合、これらの二つの方向のそれぞれは、互いに異なる配列方式及び／又は互いに異なる切替え方向を有するカードテーブルに対応する
ことを特徴とする請求項２５乃至請求項２９の何れか１項に記載のリモートコントロール方法。
【請求項３１】
前記カードテーブルは、横方向カードテーブル、縦方向カードテーブル及びマトリックスカードテーブル中の少なくとも一つを含み、
前記横方向カードテーブルは、所定の配列方式により配列された一つの選択カードと少なくとも一つの候補カードを含み、切替え方向として、左方向及び／又は右方向を含み、
前記縦方向カードテーブルは、所定の配列方式により配列された一つの選択カードと少なくとも一つの候補カードを含み、切替え方向として、上方向及び／又は下方向を含み、
前記マトリックスカードテーブルは、所定の配列方式により配列された一つの選択カードと少なくとも二つの候補カードを含み、切替え方向として、左方向、右方向、上方向及び下方向中の少なくとも二つの互いに垂直である方向を含む
ことを特徴とする請求項３０に記載のリモートコントロール方法。
【請求項３２】
前記所定の配列方式は、
過去の視聴時間の前後の順に順番付けする方式、又は、
過去の視聴回数の多少の順に順番付けする方式、又は、
マークされた回数の多少の順に順番付けする方式、又は、
各カードに対応するサブレベルコンテンツの番組番号の大小の順に順番付けする方式、を含む
ことを特徴とする請求項３１に記載のリモートコントロール方法。
【発明の詳細な説明】
【相互参照】
【０００１】
本願は、出願番号がＣＮ２０１３１０３９０６１０．２であり、出願日が２０１３年８月３０日である中国特許出願に基づき優先権を主張し、当該中国特許出願のすべてのコンテンツを本願に援用する。
【技術分野】
【０００２】
本願は、電子技術分野に関し、特にリモートコントロールシステム、リモートコントローラ、表示装置及びリモートコントロール方法に関する。
【背景技術】
【０００３】
テレビジョンは、人々の日常生活において一番よく利用される電子機器の一つであり、テレビジョンに対する各種の操作は、リモートコントローラにより制御されることが多い。
【０００４】
従来のリモートコントローラは、電源キー、０〜９の数字キー、方向キー及び若干の機能キーが含む。数字キーによりテレビジョンをトリガーしてある機能を実現する場合、通常、複数の数字キーの組合せが必要である。例えば、ｘｘ衛星テレビに切替えたい場合、ｘｘ衛星テレビに対応するチャンネル番号が３６であるとすれば、ユーザは、リモートコントローラ上の数字キー３と数字キー６を押すことにより、テレビジョンをトリガーしてチャンネル番号が３６であるテレビ番組に切替える必要がある。
【０００５】
発明者は、本願発明の実現中において、背景技術に少なくとも、数字キーが１０個であるので、操作のためには、通常複数の数字キーの組合せが必要であるため、入力効率が低い、との問題点が存在することを見出した。言い換えると、ユーザは、数字キーの使用中において、数字を正確に入力するためには、リモートコントローラを見ながら操作しなければならない。また、ユーザが数字指令を忘れてしまった場合又は数字指令を知らない場合、正確に操作するためには複数回の試し入力が必要である。例えば、ユーザがｘｙ衛星テレビに切替えたいが、ｘｙ衛星テレビに対応するチャンネル番号を知らない場合、ユーザは、複数回の試し入力を行わないと、ｘｙ衛星テレビに正確に切替えることができない。
【発明の概要】
【発明が解決しようとする課題】
【０００６】
本願発明は、リモートコントローラ上の数字キーにより入力効率が低くなる問題点を解消するためになされたものであり、本願発明の実施例は、リモートコントロールシステム、リモートコントローラ、表示装置及びリモートコントロール方法を提供する。このような技術案は以下のようである。
【課題を解決するための手段】
【０００７】
本願実施例の第１の方面によれば、
決定キー及び異なる方向それぞれに対応する方向キーを備えるリモートコントローラと、
前記リモートコントローラにより制御される表示装置と
を含み、
前記リモートコントローラは、前記方向キーが押されると、前記表示装置に、当該方向キーに対応する方向の方向制御信号を送信し、
前記表示装置は、サブレベルコンテンツは表示されるがカードテーブルは表示されない第１の状態において、所定方向の前記方向制御信号が受信されると、順に配列された一つの選択カードと少なくとも一つの候補カードを含み且つ少なくとも一つの切替え方向を有する前記カードテーブルが表示される第２の状態に切替えられ、
前記表示装置は、さらに、前記第２の状態において、前記切替え方向に対応する前記方向制御信号が受信されると、前記切替え方向に基づいて、前記カードテーブル中の一つの候補カードを前記選択カードに切替え、
前記リモートコントローラは、さらに、前記決定キーが押されると、前記表示装置に決定制御信号を送信し、
前記表示装置は、前記第２の状態において、前記決定制御信号が受信されると、前記選択カードに対応するサブレベルコンテンツは表示されるが前記カードテーブルは表示されない第１の状態に切り替えられる
リモートコントロールシステムを提供する。
【０００８】
本願実施例の第２の方面によれば、
異なる方向それぞれに対応する方向キーと、
決定キーと、
前記方向キー及び前記決定キーのそれぞれと電気的に接続される制御ＩＣと、
前記制御ＩＣと電気的に接続される発信機と
を備え、
前記制御ＩＣは、前記方向キーが押されると、前記発信機を制御して、表示装置に、当該方向キーに対応する方向の方向制御信号を送信し、前記方向制御信号は、サブレベルコンテンツは表示されるがカードテーブルは表示されない第１の状態において、前記表示装置により受信され、且つ所定方向と対応する場合、前記表示装置をトリガーして前記カードテーブルが表示される第２の状態に切替えるための信号であり、当該カードテーブルは、順に配列された一つの選択カードと少なくとも一つの候補カードを含むとともに、少なくとも一つの切替え方向を有し、前記方向制御信号は、さらに、前記第２の状態において前記表示装置により受信され且つ前記切替え方向と対応する場合、前記表示装置をトリガーして、前記切替え方向に基づいて、前記カードテーブル中の一つの候補カードを前記選択カードに切替えるための信号であり、
前記制御ＩＣは、さらに、前記決定キーが押されると、前記発信機を制御して、前記表示装置に決定制御信号を送信し、前記決定制御信号は、前記第２の状態において前記表示装置により受信されると、前記選択カードに対応するサブレベルコンテンツは表示されるが前記カードテーブルは表示されない第１の状態に切替えるための信号である
リモートコントローラを提供する。
【０００９】
本願実施例の第３の方面によれば、
受信機と、
前記受信機と電気的に接続される制御ＩＣと、
前記制御ＩＣ電気的に接続される表示アセンブリと
を備え、
前記受信機は、リモートコントローラ上の方向キーが押されたときに前記リモートコントローラから送信される方向制御信号、又は前記リモートコントローラ上の決定キーが押されたときに前記リモートコントローラから送信される決定制御信号を受信し、
前記制御ＩＣは、前記表示アセンブリが、サブレベルコンテンツは表示されるがカードテーブルは表示されない第１の状態にあり、且つ前記受信機が所定方向に対応する前記方向制御信号を受信した場合、前記表示アセンブリを制御して、順に配列された一つの選択カードと少なくとも一つの候補カードを含み且つ少なくとも一つの切替え方向を有する前記カードテーブルが表示される第２の状態に切替え、
前記制御ＩＣは、さらに、前記表示アセンブリが第２の状態にあり、且つ前記受信機が前記切替え方向に対応する前記方向制御信号を受信した場合、前記表示アセンブリを制御して、前記切替え方向に基づいて、前記カードテーブル中の一つの候補カードを前記選択カードに切替え、
前記制御ＩＣは、さらに、前記表示アセンブリが前記第２の状態にあり、且つ前記受信機が前記決定制御信号を受信した場合、前記表示アセンブリを制御して、前記選択カードに対応するサブレベルコンテンツは表示されるが前記カードテーブルは表示されない第１の状態に切替える
表示装置を提供する。
【００１０】
本願実施例の第４の方面によれば、
リモートコントローラ上の方向キーが押されたときに前記リモートコントローラから送信される方向制御信号、又は前記リモートコントローラ上の決定キーが押されたときに前記リモートコントローラから送信される決定制御信号を受信するステップと、
サブレベルコンテンツは表示されるがカードテーブルは表示されない第１の状態において、所定方向の前記方向制御信号が受信されると、順に配列された一つの選択カードと少なくとも一つの候補カードを含み且つ少なくとも一つの切替え方向を有する前記カードテーブルが表示される第２の状態に切替えるステップと、
前記第２の状態において、前記切替え方向に対応する前記方向制御信号が受信されると、前記切替え方向に基づいて、前記カードテーブル中の一つの候補カードを前記選択カードに切替えるステップと、
前記第２の状態において、前記決定制御信号が受信されると、前記選択カードに対応するサブレベルコンテンツは表示されるが前記カードテーブルは表示されない第１の状態に切替えるステップと
を含むリモートコントロール方法を提供する。
【００１１】
本願実施例により提供される技術案によれば、
リモートコントローラは方向制御信号と決定制御信号により表示装置を制御して、カードテーブルとサブレベルコンテンツの間の切替え、及びカードテーブル中の異なるカードの間の切替えを行うことにより、リモートコントローラ上の数字キーにより入力効率が低下する問題点を解消することができるので、数字キーを利用せず、リモートコントローラ上の方向キーと決定キーのみで異なるサブレベルコンテンツの間の切替え操作を実現することができて、入力方法が簡単で効率がよく、操作中にリモートコントローラを見る必要も、事前に複雑な数字指令を記憶する必要もないという有益な効果が得られる。
【００１２】
以上の一般的な説明及び後述の詳細な説明は、例示的なものに過ぎず、本発明に対する限定として理解してはいけないことは言うまでもない。
【図面の簡単な説明】
【００１３】
以下、本願実施例中の技術案をより明確に説明するために、実施例の説明に用いられる図面を簡単に説明することにする。以下に説明する図面は、本願発明の幾つかの実施例に過ぎず、当業者であれば、これらの図面から、創造的な労働を必要とせずに他の図面に想到することは、言うまでもない。
【００１４】
以下の図面は、明細書に組み込まれて本願明細書の一部分となり、本願発明に合致する実施例を示し、且つ明細書とともに、本発明の原理を説明するために用いられる。
【００１５】
【図１】例示的な実施例に係るリモートコントロールシステムの構成を示す模式図である。
【図２Ａ】例示的な実施例に係るリモートコントロールシステムの表示装置が第１の状態にある際のインターフェースの模式図である。
【図２Ｂ】例示的な実施例に係るリモートコントロールシステムの表示装置が、横方向カードテーブルが表示される第２の状態にある際のインターフェースの模式図である。
【図２Ｃ】例示的な実施例に係るリモートコントロールシステムの表示装置が、縦方向カードテーブルが表示される第２の状態にある際のインターフェースの模式図である。
【図２Ｄ】例示的な実施例に係るリモートコントロールシステムの表示装置が、マトリックスカードテーブルが表示される第２の状態にある際のインターフェースの模式図である。
【図３】例示的な実施例に係るリモートコントロールシステムの構成を示す模式図である。
【図４Ａ】図３に示す実施例の表示装置が異なる表示状態にある際のインターフェースの模式図である。
【図４Ｂ】図３に示す実施例の表示装置が異なる表示状態にある際のインターフェースの模式図である。
【図４Ｃ】図３に示す実施例の表示装置が異なる表示状態にある際のインターフェースの模式図である。
【図４Ｄ】図３に示す実施例の表示装置が異なる表示状態にある際のインターフェースの模式図である。
【図４Ｅ】図３に示す実施例の表示装置が異なる表示状態にある際のインターフェースの模式図である。
【図４Ｆ】図３に示す実施例の表示装置が異なる表示状態にある際のインターフェースの模式図である。
【図４Ｇ】図３に示す実施例の表示装置が異なる表示状態にある際のインターフェースの模式図である。
【図４Ｈ】図３に示す実施例の表示装置が異なる表示状態にある際のインターフェースの模式図である。
【図４Ｉ】図３に示す実施例の表示装置が異なる表示状態にある際のインターフェースの模式図である。
【図４Ｊ】図３に示す実施例の表示装置が異なる表示状態にある際のインターフェースの模式図である。
【図５】例示的な実施例に係るリモートコントローラの構成を示す模式図である。
【図６】例示的な実施例に係る表示装置の構成を示す模式図である。
【図７】例示的な実施例に係るリモートコントロール方法のフローチャートである。
【図８】例示的な実施例に係るリモートコントロール方法のフローチャートである。
【発明を実施するための形態】
【００１６】
以下、本願発明の目的、技術案及び利点をより明確にするために、図面を参照して、本願発明の実施例に対しさらに詳しく説明するようにする。
【００１７】
図１は、本願発明の一実施例のリモートコントロールシステムの構成を示す模式図である。当該リモートコントロールシステムは、リモートコントローラ１２０、及びリモートコントローラ１２０により制御される表示装置１４０を含み、リモートコントローラ１２０は、異なる方向それぞれに対応する方向キー１２２と、決定キー１２４とを含む。
【００１８】
リモートコントローラ１２０は、方向キー１２２が押されると、表示装置１４０に、当該方向キー１２２に対応する方向の方向制御信号を送信する。
【００１９】
表示装置１４０は、サブレベルコンテンツ（ｓｕｂ−ｌｅｖｅｌ  ｃｏｎｔｅｎｔ）が表示され且つカードテーブルは表示されない第１の状態において、所定方向の方向制御信号が受信されると、カードテーブルが表示される第２の状態に切替えられる。当該カードテーブルは、順に配列された一つの選択カードと少なくとも一つの候補カードを含むとともに、少なくとも一つの切替え方向を有する。
【００２０】
第１の状態については、図２Ａに示された内容を参照することができる。また、第２の状態については、図２Ｂ又は図２Ｃ又は図２Ｄに示された内容を参照することができる。
【００２１】
表示装置１４０は、第２の状態において、切替え方向に対応する方向制御信号が受信されると、切替え方向に基づいて、カードテーブル中の一つの候補カードを選択カードに切替える。
【００２２】
リモートコントローラ１２０は、決定キー１２４が押されると、表示装置に決定制御信号を送信する。
【００２３】
表示装置１４０は、第２の状態において、決定制御信号が受信されると、選択カードに対応するサブレベルコンテンツは表示されるがカードテーブルは表示されない第１の状態に切替えられる。
【００２４】
以上をまとめると、本願実施例に係るリモートコントロールシステムにおいて、リモートコントローラは、方向制御信号と決定制御信号により表示装置を制御して、カードテーブルとサブレベルコンテンツとの切替え、及びカードテーブル中の異なるカードの間の切替えを行うことにより、リモートコントローラ上の数字キーにより入力効率が低下する問題点を解消することができるので、以下の効果が得られる。数字キーを利用せず、リモートコントローラ上の方向キーと決定キーのみで異なるサブレベルコンテンツの間の切替え操作を実現することができるので、入力方法が簡単で効率がよく、操作中にリモートコントローラを見る必要も、事前に複雑な数字指令を記憶する必要もない。
【００２５】
説明しておくべきことは、本願明細書において説明するリモートコントローラは、必ず、方向キーと決定キーを含まなければならず、通常、数字キーは含んでいない。また、数字キーを含んでもよいが、数字キーを日常の操作キーとせず、入力欄に数字を入力するためにのみ用いる。また、伝統的なリモートコントローラに以上の各実施例を適用してもよい。方向キーと決定キーのみを含む場合、リモートコントローラをさらに小さく、さらに軽薄に製作することができ、重量が軽くなりコストが節減できるという効果を有する。
【００２６】
図３は、本願発明の他の実施例に係るリモートコントロールシステムの構成を示す模式図である。本実施例について、当該リモートコントローラは数字キーを備えず、表示装置はスマートテレビジョンである場合を例に挙げて説明するようにする。当該リモートコントロールシステムは、リモートコントローラ３２０と、リモートコントローラ３２０により制御される表示装置３４０とを含む。
【００２７】
リモートコントローラ３２０は、異なる方向それぞれに対応する方向キーと、決定キー３２１とを含む。当該方向キーは、左方向キー３２２、右方向キー３２３、上方向キー３２４及び下方向キー３２５を含む。これらの四つの方向キーは、連続する円環状にリモートコントローラ３２０の表面に分布され、決定キー３２１はこれらの四つの方向キーの中央に位置する。異なる実施例により、方向キーの個数が異なってもよく、例えば、方向キーは２個であっても、８個等であってもよい。リモートコントローラ３２０は、選択的に、電源キー３２６（表示装置３４０の電源オンを制御するためのもの）、ホームキー３２７（表示装置３４０のデスクトップの表示を制御するためのもの）、バックキー３２８（表示装置３４０がすぐ前の操作に戻るように制御するためのもの）、メニューキー３２９（表示装置のメニューの表示を制御するためのもの）及び音量キー３０の中の一つ又は複数を含んでもよい。
【００２８】
本願実施例において、提供されたリモートコントローラのインターフェース上に電源キー又は／及びホームキーが設けられてない場合、表示装置３４０の電源オンは、リモートコントローラの決定キー３２１を長押しすることで実現するように制御してもよく、表示装置３４０のデスクトップ表示への切替えは、決定キーをダブルクリンックすることで実現するように制御してもよい。本技術案において、リモートコントローラでメニューキー、電源キーが省略された場合、方向キーの組合せ、決定キーの長押し又は決定キーの複数回クリック等の方法により、メニューキー又は電源キーの機能を実現することができるが、これらに対し、本実施例ではこれ以上の限定は行わない。
【００２９】
表示装置３４０はスマートテレビジョンであり、無線通信技術によりリモートコントローラ３２０と通信を行う。当該無線通信技術は、赤外線、ブルートゥース、ＷｉＦｉ（Ｗｉｒｅｌｅｓｓ  Ｆｉｄｅｌｉｔｙ）ネットワーク又はＺｉｇＢｅｅを含む。他の実施例において、当該表示装置３４０は、デスクトップパソコン、ノートパソコン、タブレットＰＣ又はオールインワンパソコン等であってもよい。
【００３０】
リモートコントローラ３２０は、方向キーが押されると、表示装置３４０に、当該方向キーに対応する方向の方向制御信号を送信する。即ち、リモートコントローラ３２０は、左方向キー３２２が押されると、表示装置３４０に、左方向の方向制御信号を送信し、右方向キー３２３が押されると、表示装置３４０に、右方向の方向制御信号を送信し、上方向キー３２４が押されると、表示装置３４０に、上方向の方向制御信号を送信し、下方向キー３２５が押されると、表示装置３４０に、下方向の方向制御信号を送信する。
【００３１】
表示装置３４０は、サブレベルコンテンツは表示されるがカードテーブルは表示されない第１の状態において、所定方向の方向制御信号が受信されると、カードテーブルが表示される第２の状態に切替えられる。当該カードテーブルは、順に配列された一つの選択カードと少なくとも一つの候補カードを含むとともに、少なくとも一つの切替え方向を有する。
【００３２】
第１の状態については、図２Ａに示された内容を参照することができる。表示装置１４０は、第１の状態において、サブレベルコンテンツ３１を表示するがカードテーブルは表示しない。当該サブレベルコンテンツは、具体的な一つのテレビチャンネル９であってもよく、又は、ローカルＨＤ再生リソース、アプリケーションストアのインターフェース、又はゲームセンターのインターフェース等であってよい。
【００３３】
第２の状態については、図２Ｂ、図２Ｃ又は図２Ｄに示された内容を参照してもよい。表示装置１４０は、第２の状態においてカードテーブル３２を表示する。カードテーブルは、図２Ｂに示すような横方向カードテーブル、図２Ｃに示すような縦方向カードテーブル及び図２Ｄに示すようなマトリックスカードテーブルの中の任意の一つであってもよい。表示装置１４０の電源オン後、通常、一つのカードテーブルを直接表示し、表示装置１４０の作動中においてカードテーブルを表示する必要がある場合、通常、現在表示しているサブレベルコンテンツの上に一つのカードテーブルを重畳して表示する。
【００３４】
横方向カードテーブルは、所定の配列方式により配列された一つの選択カード３３と少なくとも一つの候補カード３４を含み、横方向カードテーブルの切替え方向は、左方向及び／又は右方向を有する。図２Ｂにおいては、切替え方向として、左方向と右方向とを同時に含む。
【００３５】
縦方向カードテーブルは、所定の配列方式により配列された一つの選択カード３５と、少なくとも一つの候補カード３６とを含み、縦方向カードテーブルの切替え方向は、上方向及び／又は下方向を有する。図２Ｃにおいては、切替え方向として、上方向と下方向とを同時に含む。
【００３６】
マトリックスカードテーブルは、所定の配列方式により配列された一つの選択カード３７と、少なくとも二つの候補カード３８を含み、マトリックスカードテーブルの切替え方向は、左方向、右方向、上方向及び下方向の中の少なくとも二つの互いに垂直である方向を有する。図２Ｄにおいて、切替え方向として、左方向、右方向、上方向及び下方向を同時に含む。
【００３７】
各カードは、それぞれ表示インターフェースの一部の領域を占めている。各カードそれぞれは、矩形、円形、正方形又は角丸矩形等の幾何形状であってもよい。各カードそれぞれは一つのサブレベルコンテンツに対応する。例えば、各テレビチャンネルは一つのサブレベルコンテンツであり、それぞれ一つのカードに対応する。また、例えば、テレビジョンの各ハードウェアポートは一つのカードに対応し、各カードそれぞれのサブレベルコンテンツは当該ハードウェアポートにより提供されるローカルＨＤ再生リソースである。各カードそれぞれの表示コンテンツは、サブレベルコンテンツの紹介情報、番組番号、チャンネル名及び番組名を含んでもよく、紹介情報は、ポスター画像及び／又は文字による説明であってもよい。
【００３８】
類型が同一である異なるカードテーブルは、互いに異なる所定の配列方式を有する。所定の配列方式として、以下の方式を含む。
【００３９】
過去の視聴時間の前後の順に順番付けする方式、所謂「最近視聴」の方式である。例えば、最近に視聴した時間の順に、即ち時間が新しい方から古い方への順にしたがって、カードテーブルにおいて左から右への順に順番付けする方式である。
【００４０】
過去の視聴回数の多少の順に順番付けする方式、所謂「頻繁視聴」の方式である。例えば、過去の視聴回数の多少の順に、即ち回数が多い方から少ない方への順にしたがって、カードテーブルにおいて左から右への順に順番付けする方式である。
【００４１】
マークされた回数の多少の順に順番付けする方式、所謂「お気に入り」の方式である。例えば、「お気に入り」としてマークされた回数の多少の順に、即ち回数が多い方から少ない方への順にしたがって、カードテーブルにおいて左から右への順に順番付けする方式である。
【００４２】
各カードに対応するサブレベルコンテンツの番組番号の大小の順に順番付けする方式、所謂「テレビジョンウォール」の方式である。例えば、番組番号の大小の順に、即ち番組番号が小さい方から大きい方への順にしたがって、カードテーブルにおいて左から右への順に順番付けする方式である。本実施例において、テレビジョンウォールは、複数のチャンネルの放送中のコンテンツをプレビューするための表示モードであり、テレビジョンウォールの表示モードにおいて、テレビジョンスクリーンの表示領域を予め設定した寸法の複数の矩形のサブ表示領域に区画し、各サブ表示領域それぞれにより、検索された異なるチャンネルに対応するプレビューコンテンツを表示する。当該プレビューコンテンツは、当該チャンネルの放送中の動画又はそのキャプチャ画像であってもよい。
【００４３】
前記所定方向の方向制御信号は、左方向の方向制御信号であってもよく、これに対応して表示されるカードテーブルは、横方向カードテーブルであってもよい。例えば、表示装置３４０は、「テレビチャンネル９」というサブレベルコンテンツは表示されるがカードテーブルは表示されない第１の状態にある場合、左方向の方向制御信号が受信されると、横方向カードテーブルが表示される第２の状態に切替えられる。当該横方向カードテーブルは、図４Ａに示すように、過去の視聴時間の前後の順に順番付けされもよい。
【００４４】
前記所定方向の方向制御信号は、右方向の方向制御信号であってもよく、これに対応して表示されるカードテーブルは、マトリックスカードテーブルであってもよい。例えば、表示装置３４０は、「テレビチャンネル７」というサブレベルコンテンツは表示されるがカードテーブルは表示されない第１の状態にある場合、右方向の方向制御信号が受信されると、マトリックスカードテーブルが表示される第２の状態に切替えられる。当該マトリックスカードテーブルは、図４Ｂに示すように、番組番号の大小の順に順番付けされてもよい。
【００４５】
追加説明しておくべきことは、本実施例において、所定方向として、左方向と右方向中の少なくとも一つを含み、左方向と右方向とを同時に含む場合、これらの二つの方向のそれぞれは、互いに異なる配列方式及び／又は互いに異なる切替え方向を有するカードテーブルに対応する場合のみを例に挙げて説明している。他の実施例において、所定方向として上方向及び下方向中の少なくとも一つを含んでもよく、上方向と下方向とを同時に含む際には、二つの方向のそれぞれは、異なる配列方式及び／又は異なる切替え方向を有するカードテーブルに対応する。また、カードテーブルにおける初期の選択カードは所定のカードであってもよく、現在表示されているサブレベルコンテンツに対応するカードであってもよい。
【００４６】
表示装置３４０は、さらに、第２の状態において切替え方向の方向制御信号が受信された場合、切替え方向に基づいて、カードテーブル中の一つの候補カードを選択カードに切替える。
【００４７】
例えば、カードテーブルが図４Ａに示すような横方向カードテーブルであり、切替え方向として左方向と右方向を含む場合、表示装置３４０は、図４Ｃに示すように、左方向に対応する方向制御信号が受信されると、切替え方向に基づいて、現在の選択カードの左方向に位置する候補カード「８」を選択カードに切替えるとともに、現在の選択カード「９」を候補カードに切替え、また、右方向に対応する方向制御信号が受信されると、切替え方向に基づいて、現在の選択カードの右方向に位置する候補カード「３」を選択カードに切替えるとともに、現在の選択カード「９」を候補カードに切替える。
【００４８】
また、例えば、カードテーブルが図４Ｂに示すようなマトリックスカードテーブルであり、切替え方向として上下左右の四つの方向を含む場合、表示装置３４０は、図４Ｄに示すように、上方向に対応する方向制御信号が受信されると、切替え方向に基づいて、現在の選択カードの上方向に位置する候補カード「３」を選択カードに切替えるとともに、現在の選択カード「７」を候補カードに切替え、下方向に対応する方向制御信号が受信されると、切替え方向に基づいて、現在の選択カードの下方向に位置する候補カード「１１」を選択カードに切替えるとともに、現在の選択カード「７」を候補カードに切替え、左方向に対応する方向制御信号が受信されると、切替え方向に基づいて、現在の選択カードの左方向に位置する候補カード「６」を選択カードに切替えるとともに、現在の選択カード「７」を候補カードに切替え、また、右方向に対応する方向制御信号が受信されると、切替え方向に基づいて、現在の選択カードの右方向に位置する候補カード「８」を選択カードに切替えるとともに、現在の選択カード「７」を候補カードに切替える。
【００４９】
リモートコントローラ３２０は、決定キー３２１が押されると、表示装置３４０に決定制御信号を送信する。
【００５０】
表示装置３４０は、第２の状態において、決定制御信号が受信されると、選択カードに対応するサブレベルコンテンツは表示されるがカードテーブルは表示されない第１の状態に切替えられる。
【００５１】
例えば、表示装置３４０は、図４Ｃ中の上図に示すような第２の状態にある場合、決定制御信号が受信されると、図４Ｅに示すように、選択カード「８」に対応するサブレベルコンテンツは表示されるがカードテーブルは表示されない第１の状態に切替えられる。
【００５２】
通常、ユーザは、上述の過程により、異なるチャンネルの間で切替え操作を便利に行うことができる。
【００５３】
表示装置３４０は、さらに、第２の状態において切替え方向に対応しない方向制御信号が受信されると、他のカードテーブルの表示に切替える。当該他のカードテーブルの切替え方向又は配列方式は現在のカードテーブルと異なる。
【００５４】
例えば、図４Ａに示すような横方向カードテーブルである場合、表示装置３４０は、図４Ｆに示すように、上方向の方向制御信号が受信されると、当該上方向が横方向カードテーブルの切替え方向と対応しないため、配列方式が過去の視聴回数の多少の順に順番付けされた横方向カードテーブルである他のカードテーブルの表示に切替え、下方向の方向制御信号が受信されると、当該下方向が横方向カードテーブルの切替え方向と対応しないため、配列方式がマークされた回数の多少の順に順番付けされた横方向カードテーブルである他のカードテーブルに切替える。
【００５５】
図４Ｆから分かるように、ユーザにより上方向キー又は下方向キーが連続して複数回押されると、表示装置３４０に表示されるカードテーブルは、「最近視聴」の横方向カードテーブル、「頻繁視聴」の横方向カードテーブル及び「お気に入り」の横方向カードテーブルの三者の間で循環的に切替えられる。
【００５６】
表示装置３４０は、さらに、第１の状態において所定方向に対応しない方向制御信号が受信されると、方向制御信号及び各カードの間の所定の配列方式に基づいて、現在表示されているサブレベルコンテンツを他のカードに対応するサブレベルコンテンツに直接切替える。
【００５７】
例えば、表示装置３４０は、図２Ａに示すような第１の状態にある場合、図４Ｇに示すように、上方向の方向制御信号が受信されると、当該上方向が所定方向（左方向及び右方向）と対応しないため、方向制御信号及び各カードの間の所定の配列方式に基づいて、現在表示されているサブレベルコンテンツ「９」を他のカードに対応するサブレベルコンテンツ「８」に直接切替える。ここで、当該所定の配列方式は、各カードに対応するサブレベルコンテンツの番組番号の大小の順に順番付けされる方式であってもよい。また、表示装置３４０は、下方向の方向制御信号が受信されると、当該下方向が所定方向（左方向及び右方向）と対応しないため、方向制御信号及び各カードの間の所定の配列方式に基づいて、現在表示されているサブレベルコンテンツ「９」を他のカードに対応するサブレベルコンテンツ「１０」に直接切替える。ここで、当該所定の配列方式は、各カードに対応するサブレベルコンテンツの番組番号の大小の順に順番付けされる方式であってもよい。
【００５８】
表示装置３４０は、さらに、第１の状態において決定制御信号が受信されると、表示を一時的に停止するか、又はサブレベルコンテンツ情報リストが表示される第３の状態に切替えられる。サブレベルコンテンツ情報リストは、順に配列され且つ少なくとも一つの切替え方向を有する各サブレベルコンテンツの概要情報を含み、概要情報は、番組番号、チャンネル名及び番組名の中の少なくとも一つを含む。
【００５９】
例えば、表示装置３４０は、図２Ａに示すように第１の状態にあり、且つ当該サブレベルコンテンツが例えばローカルＨＤ再生リソースのように一時的に停止可能である場合、決定制御信号が受信されると、表示を一時的に停止する。また、例えば、表示装置３４０は、第１の状態にあり、且つ当該サブレベルコンテンツが例えば放送中のテレビ番組のように一時的に停止不可のコンテンツである場合、決定制御信号が受信されると、図４Ｈに示すように、サブレベルコンテンツ情報リストが表示される第３の状態に切替えられる。当該サブレベルコンテンツ情報リストは、順に配列され且つ少なくとも一つの切替え方向を有する各サブレベルコンテンツの概要情報を含み、概要情報は、番組番号及びチャンネル名を含む。サブレベルコンテンツ情報リストとカードテーブルとの相違点として、サブレベルコンテンツ情報リストは「リスト＋文字」の形態で表されているが、カードテーブルは「画像＋文字」の形態で表されている傾向が強い。
【００６０】
表示装置３４０は、第１の状態において指定方向の方向制御信号が受信され且つ第１の状態において現在表示されているサブレベルコンテンツがローカル再生コンテンツ又はオンライン再生コンテンツである場合、現在表示されているサブレベルコンテンツ上にピクチャーインピクチャー（ｐｉｃｔｕｒｅ  ｉｎ  ｐｉｃｔｕｒｅ、以下ＰＩＰと称する）ウィンドウにより他のサブレベルコンテンツを表示する第４の状態に切替えられる。
【００６１】
当該指定方向は、前記の所定方向と同一の方向であってもよく、異なる方向であってもよい。ローカル再生コンテンツとは、テレビジョンに接続されたＨＤ再生機、セットトップボックス、ジュークボックス又はゲーム機がハードウェアポートを介して提供する再生コンテンツである。ネットワーク再生コンテンツとは、テレビジョンに接続された家庭用パソコン又はリモートサーバがネットワークを介して提供するオンライン再生コンテンツである。
【００６２】
例えば、表示装置３４０は、第１の状態において上方向の方向制御信号が受信され且つ第１の状態において現在表示されているサブレベルコンテンツがローカル再生コンテンツ又はオンライン再生コンテンツである場合、図４Ｉに示すように、現在表示されているサブレベルコンテンツ上にＰＩＰウィンドウにより他のサブレベルコンテンツ３９が表示される第４の状態に切替えられる。当該他のサブレベルコンテンツ３９は、最近視聴したテレビチャンネル「３」であってもよい。
【００６３】
表示装置３４０は、第４の状態において決定制御信号が受信されると、ＰＩＰウィンドウ中に表示された他のサブレベルコンテンツをフルスクリーン表示する第５の状態に切替えられる。
【００６４】
例えば、表示装置３４０は、図４Ｉに示すような第４の状態において決定制御信号が受信されると、図４Ｊに示すように、ＰＩＰウィンドウ中に表示された他のサブレベルコンテンツ「３」をフルスクリーン表示する第５の状態に切替えられる。第５の状態において、第４の状態において表示されたサブレベルコンテンツは、図４Ｊ中に示すように、一時的に停止されてバックグラウンドに切替えられるか、閉じられるか、又はＰＩＰウィンドウ中に切替えられる。
【００６５】
表示装置３４０は、さらに、第１の状態において指定方向に対応しない方向制御信号が受信され且つ第１の状態において現在表示されているサブレベルコンテンツがローカル再生コンテンツ又はオンライン再生コンテンツである場合、ローカル再生コンテンツ又はオンライン再生コンテンツに対し早送り又は早戻しの操作を行う。
【００６６】
例えば、表示装置３４０は、第１の状態において左方向の方向制御信号が受信され且つ第１の状態において現在表示されているサブレベルコンテンツがローカル再生コンテンツ又はオンライン再生コンテンツである場合、ローカル再生コンテンツ又はオンライン再生コンテンツに対し早戻しの操作を行う。これに対し、右方向の方向制御信号が受信されると、ローカル再生コンテンツ又はオンライン再生コンテンツに対し早送りの操作を行う。
【００６７】
表示装置３４０は、さらに、第４の状態において特定の方向の方向制御信号が受信されると、ＰＩＰウィンドウ中に表示された他のサブレベルコンテンツをさらに他のサブレベルコンテンツに切替える。
【００６８】
例えば、表示装置３４０は、第４の状態において上方向の方向制御信号が受信されると、ＰＩＰウィンドウ中に表示された他のサブレベルコンテンツ「９」をさらに他のサブレベルコンテンツ「８」に切替える。また、表示装置３４０は、第４の状態において下方向の方向制御信号が受信されると、ＰＩＰウィンドウ中に表示された他のサブレベルコンテンツ「９」をさらに他のサブレベルコンテンツ「１０」に切替える。
【００６９】
以上をまとめると、本願実施例に係るリモートコントロールシステムにおいて、リモートコントローラは、方向制御信号及び決定制御信号により表示装置を制御して、カードテーブルとサブレベルコンテンツとの切替え、及びカードテーブル中の異なるカードの間の切替えを行うことにより、リモートコントローラ上の数字キーにより入力効率が低下する問題点を解消することができるので、以下の効果が得られる。数字キーを利用せず、リモートコントローラ上の方向キーと決定キーのみで異なるサブレベルコンテンツの間の切替え操作を実現することができるので、入力方法が簡単で効率がよく、操作中にリモートコントローラを見る必要も、事前に複雑な数字指令を記憶する必要もない。
【００７０】
さらに、第２の状態において切替え方向に対応しない方向制御信号が受信されると、他のカードテーブルの表示に切替えることにより、以下の効果が得られる。リモートコントローラ上の方向キーをクリックするのみで異なるカードテーブルに切替えることができるので、操作中にリモートコントローラを見る必要も、事前に複雑な数字指令を記憶する必要もない。
【００７１】
さらに、第１の状態において所定方向に対応しない方向制御信号が受信されると、方向制御信号及び各カードの間の所定の配列方式に基づいて、現在表示されているサブレベルコンテンツを他のカードに対応するサブレベルコンテンツに直接切替えることにより、以下の効果が得られる。リモートコントローラ上において方向キーを一回クリックするのみで、他のサブレベルコンテンツへ迅速に切替えることができる。
【００７２】
さらに、第１の状態において決定制御信号が受信されると、表示装置がサブレベルコンテンツ情報リストが表示される第３の状態に切替えられることにより、以下の効果が得られる。リモートコントローラ上の決定キーをクリックするのみで、サブレベルコンテンツ情報リストを迅速にポップアップ表示することができる。
【００７３】
さらに、第１の状態において指定方向の方向制御信号が受信され且つ第１の状態において現在表示されているサブレベルコンテンツがローカル再生コンテンツ又はオンライン再生コンテンツである場合、現在表示されているサブレベルコンテンツ上にＰＩＰウィンドウにより他のサブレベルコンテンツを表示する第４の状態に切替えられ、第４の状態において決定制御信号が受信されると、ＰＩＰウィンドウ中に表示された他のサブレベルコンテンツをフルスクリーン表示する第５の状態に切替えられることにより、以下の効果が得られる。ローカル再生コンテンツ又はオンライン再生コンテンツを視聴する際に、ＰＩＰ機能により放送中のテレビ番組を確認することができるので、二つのサブレベルコンテンツの間で自由に切替え操作を行うことができる。
【００７４】
図５は、本願発明の一実施例に係るリモートコントローラの構成を示す模式図である。当該リモートコントローラは、異なる方向それぞれに対応する方向キー５２０と、決定キー５４０と、方向キー５２０及び決定キー５４０のそれぞれと電気的に接続する制御ＩＣ５６０と、制御ＩＣ５６０と電気的に接続する発信機５８０を含む。
【００７５】
制御ＩＣ５６０は、前記方向キー５２０が押されると、前記発信機５８０を制御して、表示装置に、当該方向キーに対応する方向の方向制御信号を送信する。
【００７６】
前記方向制御信号は、サブレベルコンテンツは表示されるがカードテーブルは表示されない第１の状態において前記表示装置により受信され且つ所定方向と対応する場合、前記表示装置をトリガーして前記カードテーブルが表示される第２の状態に切替えるための信号である。前記カードテーブルは、順に配列された一つの選択カードと少なくとも一つの候補カードを含み、且つ前記カードテーブルは少なくとも一つの切替え方向を有する。
【００７７】
前記方向制御信号は、さらに、前記第２の状態において前記表示装置により受信され且つ前記切替え方向と対応する場合、前記表示装置をトリガーして、前記切替え方向に基づいて、前記カードテーブル中の一つの候補カードを前記選択カードに切替えるための信号である。
【００７８】
制御ＩＣ５６０は、さらに、前記決定キーが押されると、前記発信機を制御して、前記表示装置に向けて決定制御信号を送信する。前記決定制御信号は、前記第２の状態において前記表示装置により受信されると、前記選択カードに対応するサブレベルコンテンツは表示されるが前記カードテーブルは表示されない第１の状態に切替えるための信号である。
【００７９】
以上をまとめると、本願実施例に係るリモートコントローラは、方向制御信号と決定制御信号により表示装置を制御して、カードテーブルとサブレベルコンテンツとの切替え、及びカードテーブル中の異なるカードの間の切替えを行うことにより、リモートコントローラ上の数字キーにより入力効率が低下する問題点を解消することができるので、以下の効果が得られる。数字キーを利用せず、リモートコントローラ上の方向キーと決定キーのみで異なるサブレベルコンテンツの間の切替え操作を実現することができるので、入力方法が簡単で効率がよく、操作中にリモートコントローラを見る必要も、事前に複雑な数字指令を記憶する必要もない。
【００８０】
図５に基づく実施例のさらに好ましい実施例において、前記方向制御信号は、さらに、前記第２の状態において前記表示装置により受信され且つ前記切替え方向と対応しない場合、前記表示装置をトリガーして他のカードテーブルの表示に切替えるための信号である。前記他のカードテーブルの切替え方向又は配列方式は前記カードテーブルと異なる。
【００８１】
図５に基づく実施例のさらに好ましい実施例において、前記方向制御信号は、さらに、前記第１の状態において前記表示装置により受信され且つ前記所定方向と対応しない場合、前記表示装置をトリガーして、前記方向制御信号及び各カードの間の所定の配列方式に基づいて、現在表示されているサブレベルコンテンツを他のカードに対応するサブレベルコンテンツに直接切替える。
【００８２】
図５に基づく実施例のさらに好ましい実施例において、前記決定制御信号は、さらに、前記第１の状態において前記表示装置により受信されると、前記表示装置をトリガーして表示を一時的に停止するか、又は、前記表示装置をトリガーして、サブレベルコンテンツ情報リストが表示される第３の状態に切替えるための信号である。前記サブレベルコンテンツ情報リストは、順に配列され且少なくとも一つの切替え方向を有する各サブレベルコンテンツの概要情報を含み、前記概要情報は、番組番号、チャンネル名及び番組名中の少なくとも一つを含む。
【００８３】
図５に基づく実施例のさらに好ましい実施例において、前記方向制御信号は、さらに、前記第１の状態において前記表示装置により受信され、指定方向と対応し且つ前記第１の状態において現在表示されているサブレベルコンテンツがローカル再生コンテンツ又はオンライン再生コンテンツである場合、前記表示装置をトリガーして、前記現在表示されているサブレベルコンテンツ上にＰＩＰウィンドウにより他のサブレベルコンテンツを表示する第４の状態に切替えるための信号である。
【００８４】
前記決定制御信号は、さらに、前記第４の状態において前記表示装置により受信されると、前記表示装置をトリガーして、前記ＰＩＰウィンドウ中に表示された前記他のサブレベルコンテンツをフルスクリーン表示する第５の状態に切替えるための信号である。
【００８５】
図５に基づく実施例のさらに好ましい実施例において、前記所定方向として、左方向と右方向中の少なくとも一つを含み、左方向と右方向とを同時に含む場合、これらの二つの方向のそれぞれは、互いに異なる配列方式及び／又は互いに異なる切替え方向を有するカードテーブルに対応する。また、前記所定方向として、上方向と下方向中の少なくとも一つを含み、上方向と下方向とを同時に含む場合、これらの二つの方向のそれぞれは、互いに異なる配列方式及び／又は互いに異なる切替え方向を有するカードテーブルに対応する。
【００８６】
図５に基づく実施例のさらに好ましい実施例において、前記カードテーブルは、横方向カードテーブル、縦方向カードテーブル及びマトリックスカードテーブル中の少なくとも一つを含む。
【００８７】
前記横方向カードテーブルは、所定の配列方式により配列された一つの選択カードと少なくとも一つの候補カードを含み、前記横方向カードテーブルの切替え方向として、左方向及び／又は右方向を含む。
【００８８】
前記縦方向カードテーブルは、所定の配列方式により配列された一つの選択カードと少なくとも一つの候補カードを含み、前記縦方向カードテーブルの切替え方向として、上方向及び／又は下方向を含む。
【００８９】
前記マトリックスカードテーブルは、所定の配列方式により配列された一つの選択カードと少なくとも二つの候補カードを含み、前記マトリックスカードテーブルの切替え方向として、左方向、右方向、上方向及び下方向中の少なくとも二つの互いに垂直である方向を含む。
【００９０】
図５に基づく実施例のさらに好ましい実施例において、前記所定の配列方式は、
過去の視聴時間の前後の順に順番付けする方式、又は、
過去の視聴回数の多少の順に順番付けする方式、又は、
マークされた回数の多少の順に順番付けする方式、又は、
各カードに対応するサブレベルコンテンツの番組番号の大小の順に順番付けする方式を含む。
【００９１】
以上をまとめると、これらの好ましい実施例において、さらに、第２の状態において切替え方向と対応しない方向制御信号が受信されると、他のカードテーブルの表示に切替えることにより、以下の効果が得られる。リモートコントローラ上の方向キーをクリックするのみで異なるカードテーブルに切替えることができるので、操作中にリモートコントローラを見る必要も、事前に複雑な数字指令を記憶する必要もない。
【００９２】
さらに、第１の状態において所定方向と対応しない方向制御信号が受信されると、方向制御信号及び各カードの間の所定の配列方式に基づいて、現在表示されているサブレベルコンテンツを他のカードに対応するサブレベルコンテンツに直接切替えることができるので、以下の効果が得られる。リモートコントローラ上において方向キーを一回クリックするのみで、他のサブレベルコンテンツへ迅速に切替えることができる。
【００９３】
さらに、第１の状態において決定制御信号が受信されると、サブレベルコンテンツ情報リストが表示される第３の状態に切替えることができるので、以下の効果が得られる。リモートコントローラ上の決定キーをクリックするのみで、サブレベルコンテンツ情報リストを迅速にポップアップ表示することができる。
【００９４】
さらに、第１の状態において指定方向の方向制御信号が受信され且つ第１の状態において現在表示されているサブレベルコンテンツがローカル再生コンテンツ又はオンライン再生コンテンツである場合、現在表示されているサブレベルコンテンツ上にＰＩＰウィンドウにより他のサブレベルコンテンツを表示する第４の状態に切替え、第４の状態において決定制御信号が受信されると、ＰＩＰウィンドウ中に表示された他のサブレベルコンテンツをフルスクリーン表示する第５の状態に切替えることにより、以下の効果が得られる。ローカル再生コンテンツ又はオンライン再生コンテンツを視聴する際に、ＰＩＰ機能により放送中のテレビ番組を確認することができるので、二つのサブレベルコンテンツの間で自由に切替え操作を行うことができる。
【００９５】
図６は、本願発明の一実施例に係る表示装置の構成を示す模式図である。当該表示装置は、受信機６２０、受信機６２０に電気的に接続される制御ＩＣ６４０及び制御ＩＣ６４０に電気的に接続される表示アセンブリ６６０を含む。
【００９６】
前記受信機６２０は、リモートコントローラから送信される方向制御信号又は決定制御信号を受信するためのものであり、前記方向制御信号は、前記リモートコントローラ上の方向キーが押されたときに送信される信号であり、前記決定制御信号は、前記リモートコントローラ上の決定キーが押されたときに送信される信号である。
【００９７】
前記制御ＩＣ６４０は、前記表示アセンブリ６６０が、サブレベルコンテンツは表示されるがカードテーブルは表示されない第１の状態にあり、且つ前記受信機６２０が所定方向に対応する前記方向制御信号を受信した場合、前記表示アセンブリ６６０を、前記カードテーブルが表示される第２の状態に切替えられるように制御する。当該カードテーブルは、順に配列された一つの選択カードと少なくとも一つの候補カードを含むとともに、少なくとも一つの切替え方向を有する。
【００９８】
前記制御ＩＣ６４０は、さらに、前記表示アセンブリ６６０が第２の状態にあり、且つ前記受信機６２０が前記切替え方向に対応する前記方向制御信号を受信した場合、前記表示アセンブリ６６０を制御して、前記切替え方向に基づいて、前記カードテーブル中の一つの候補カードを前記選択カードに切替える。
【００９９】
前記制御ＩＣ６４０は、さらに、前記表示アセンブリ６６０が前記第２の状態にあり且つ前記受信機６２０が前記決定制御信号を受信した場合、前記表示アセンブリ６６０を制御して、前記選択カードに対応するサブレベルコンテンツは表示されるが前記カードテーブルは表示されない第１の状態に切替える。
【０１００】
以上をまとめると、本願実施例に係る表示装置において、リモートコントローラから送信される方向制御信号と決定制御信号とにより表示装置を制御して、カードテーブルとサブレベルコンテンツの間の切替え、及びカードテーブル中の異なるカードの間の切替えを行うことにより、リモートコントローラ上の数字キーにより入力効率が低下する問題点を解消することができるので、以下の効果が得られる。数字キーを利用せず、リモートコントローラ上の方向キーと決定キーのみで異なるサブレベルコンテンツの間の切替え操作を実現することができるので、入力方法が簡単で効率がよく、操作中にリモートコントローラを見る必要も、事前に複雑な数字指令を記憶する必要もない。
【０１０１】
図６に基づく実施例のさらに好ましい実施例において、前記制御ＩＣ６４０は、さらに、前記表示アセンブリ６６０が前記第２の状態にあり且つ前記受信機６２０が前記切替え方向対応しない前記方向制御信号を受信した場合、前記表示アセンブリ６６０を制御して他のカードテーブルの表示に切替える。前記他のカードテーブルの切替え方向又は配列方式は前記カードテーブルと異なる。
【０１０２】
図６に基づく実施例のさらに好ましい実施例において、前記制御ＩＣ６４０は、前記表示アセンブリ６６０が前記第１の状態にあり、且つ前記受信機６２０が前記所定方向と対応しない前記方向制御信号を受信した場合、前記表示アセンブリ６６０を制御して、前記方向制御信号及び各カードの間の所定の配列方式に基づいて、現在表示されているサブレベルコンテンツを他のカードに対応するサブレベルコンテンツに直接切替える。
【０１０３】
図６に基づく実施例のさらに好ましい実施例において、前記制御ＩＣ６４０は、前記表示アセンブリ６６０が前記第１の状態にあり、且つ前記受信機６２０が前記決定制御信号を受信した場合、前記表示アセンブリ６６０を制御して表示を一時的に停止するか、又は前記表示アセンブリ６６０を制御して、サブレベルコンテンツ情報リストが表示される第３の状態に切替える。前記サブレベルコンテンツ情報リストは、順に配列され且少なくとも一つの切替え方向を有する各サブレベルコンテンツの概要情報を含み、前記概要情報は、番組番号、チャンネル名及び番組名中の少なくとも一つを含む。
【０１０４】
図６に基づく実施例のさらに好ましい実施例において、前記制御ＩＣ６４０は、前記表示アセンブリ６６０が前記第１の状態にあり、且つ前記受信機６２０が指定方向の前記方向制御信号を受信し、且つ前記第１の状態において現在表示されているサブレベルコンテンツがローカル再生コンテンツ又はオンライン再生コンテンツである場合、前記表示アセンブリ６６０を制御して、前記現在表示されているサブレベルコンテンツ上にＰＩＰウィンドウにより他のサブレベルコンテンツを表示する第４の状態に切替える。
【０１０５】
前記制御ＩＣ６４０は、前記表示アセンブリ６６０が前記第４の状態にあり、且つ前記受信機６２０が前記決定制御信号を受信した場合、前記表示アセンブリ６６０を制御して、前記ＰＩＰウィンドウ中に表示された前記他のサブレベルコンテンツをフルスクリーン表示する第５の状態に切替える。
【０１０６】
図６に基づく実施例のさらに好ましい実施例において、前記所定方向として、左方向と右方向中の少なくとも一つを含み、左方向と右方向とを同時に含む場合、これらの二つの方向のそれぞれは、互いに異なる配列方式及び／又は互いに異なる切替え方向を有するカードテーブルに対応する。また、前記所定方向として、上方向と下方向中の少なくとも一つを含み、上方向と下方向とを同時に含む場合、これらの二つの方向のそれぞれは、互いに異なる配列方式及び／又は互いに異なる切替え方向を有するカードテーブルに対応する。
【０１０７】
図６に基づく実施例のさらに好ましい実施例において、前記カードテーブルは、横方向カードテーブル、縦方向カードテーブル及びマトリックスカードテーブル中の少なくとも一つを含む。
【０１０８】
前記横方向カードテーブルは、所定の配列方式により配列された一つの選択カードと少なくとも一つの候補カードを含み、前記横方向カードテーブルの切替え方向として、左方向及び／又は右方向を含む。
【０１０９】
前記縦方向カードテーブルは、所定の配列方式により配列された一つの選択カードと少なくとも一つの候補カードを含み、前記縦方向カードテーブルの切替え方向として、上方向及び／又は下方向を含む。
【０１１０】
前記マトリックスカードテーブルは、所定の配列方式により配列された一つの選択カードと少なくとも二つの候補カードを含み、前記マトリックスカードテーブルの切替え方向として、左方向、右方向、上方向及び下方向中の少なくとも二つの互いに垂直である方向を含む。
【０１１１】
図６に基づく実施例のさらに好ましい実施例において、前記所定の配列方式は、
過去の視聴時間の前後の順に順番付けする方式、又は、
過去の視聴回数の多少の順に順番付けする方式、又は、
マークされた回数の多少の順に順番付けする方式、又は、
各カードに対応するサブレベルコンテンツの番組番号の大小の順に順番付けする方式を含む。
【０１１２】
以上をまとめると、これらの好ましい実施例において、さらに、表示装置は、第２の状態において切替え方向と対応しない方向制御信号が受信されると、他のカードテーブルの表示に切替えることにより、以下の効果が得られる。リモートコントローラ上の方向キーをクリックするのみで異なるカードテーブルに切替えることができるので、操作中にリモートコントローラを見る必要も、事前に複雑な数字指令を記憶する必要もない。
【０１１３】
さらに、表示装置は、第１の状態において所定方向と対応しない方向制御信号が受信されると、方向制御信号及び各カードの間の所定の配列方式に基づいて、現在表示されているサブレベルコンテンツを他のカードに対応するサブレベルコンテンツに直接切替えることにより、以下の効果が得られる。リモートコントローラ上において方向キーを一回クリックするのみで、他のサブレベルコンテンツへ迅速に切替えることができる。
【０１１４】
さらに、表示装置は、第１の状態において決定制御信号が受信されると、サブレベルコンテンツ情報リストが表示される第３の状態に切替えられることにより、以下の効果が得られる。リモートコントローラ上の決定キーをクリックするのみで、サブレベルコンテンツ情報リストを迅速にポップアップ表示することができる。
【０１１５】
さらに、表示装置は、第１の状態において指定方向の方向制御信号が受信され且つ第１の状態において現在表示されているサブレベルコンテンツがローカル再生コンテンツ又はオンライン再生コンテンツである場合、現在表示されているサブレベルコンテンツ上にＰＩＰウィンドウにより他のサブレベルコンテンツを表示する第４の状態に切替えられ、第４の状態において決定制御信号が受信されると、ＰＩＰウィンドウ中に表示された他のサブレベルコンテンツをフルスクリーン表示する第５の状態に切替えられることにより、以下の効果が得られる。ローカル再生コンテンツ又はオンライン再生コンテンツを視聴する際に、ＰＩＰ機能により放送中のテレビ番組を確認することができるので、二つのサブレベルコンテンツの間で自由に切替え操作を行うことができる。
【０１１６】
図７は、本願発明の一実施例に係るリモートコントロール方法のフローチャートである。当該リモートコントロール方法は、図１、図３又は図６により提供される実施例に係る表示装置に適用される。当該方法は、以下の各ステップを実行する。
【０１１７】
ステップ７０２において、リモートコントローラから送信される方向制御信号又は決定制御信号を受信する。方向制御信号は、リモートコントローラ上の方向キーが押されたときに送信される信号であり、決定制御信号は、リモートコントローラ上の決定キーが押されたときに送信される信号である。
【０１１８】
ステップ７０４において、サブレベルコンテンツは表示されるがカードテーブルは表示されない第１の状態において、所定方向の方向制御信号が受信されると、カードテーブルが表示される第２の状態に切替える。カードテーブルは、順に配列された一つの選択カードと少なくとも一つの候補カードを含むとともに、少なくとも一つの切替え方向を有する。
【０１１９】
ステップ７０６において、第２の状態において切替え方向に対応する方向制御信号が受信されると、切替え方向に基づいて、カードテーブル中の一つの候補カードを選択カードに切替える。
【０１２０】
ステップ７０８において、第２の状態において、決定制御信号が受信されると、選択カードに対応するサブレベルコンテンツは表示されるがカードテーブルは表示されない第１の状態に切替える。
【０１２１】
以上をまとめると、本願実施例に係るリモートコントロール方法において、リモートコントローラから送信される方向制御信号と決定制御信号により表示装置を制御して、カードテーブルとサブレベルコンテンツの間の切替え、及びカードテーブル中の異なるカードの間の切替えを行うことにより、リモートコントローラ上の数字キーにより入力効率が低下する問題点を解消することができるので、以下の効果が得られる。数字キーを利用せず、リモートコントローラ上の方向キーと決定キーのみで異なるサブレベルコンテンツの間の切替え操作を実現することができるので、入力方法が簡単で効率がよく、操作中にリモートコントローラを見る必要も、事前に複雑な数字指令を記憶する必要もない。
【０１２２】
図８は、本願発明の他の実施例に係るリモートコントロール方法のフローチャートである。当該リモートコントロール方法は、図１、図３又は図６により提供される実施例に係る表示装置に適用される。当該方法は、以下の各ステップを実行する。
【０１２３】
ステップ８０１において、リモートコントローラから送信される方向制御信号又は決定制御信号を受信する。方向制御信号は、リモートコントローラ上の方向キーが押されたときに送信される信号であり、決定制御信号は、リモートコントローラ上の決定キーが押されたときに送信される信号である。
【０１２４】
ステップ８０２において、サブレベルコンテンツは表示されるがカードテーブルは表示されない第１の状態において、所定方向の方向制御信号が受信されると、カードテーブルが表示される第２の状態に切替える。カードテーブルは、順に配列された一つの選択カードと少なくとも一つの候補カードを含むとともに、少なくとも一つの切替え方向を有する。
【０１２５】
前記所定方向として、左方向と右方向中の少なくとも一つを含み、左方向と右方向とを同時に含む場合、これらの二つの方向のそれぞれは、互いに異なる配列方式及び／又は互いに異なる切替え方向を有するカードテーブルに対応する。また、前記所定方向として、上方向と下方向中の少なくとも一つを含み、上方向と下方向とを同時に含む場合、これらの二つの方向のそれぞれは、互いに異なる配列方式及び／又は互いに異なる切替え方向を有するカードテーブルに対応する。
【０１２６】
前記カードテーブルは、横方向カードテーブル、縦方向カードテーブル及びマトリックスカードテーブル中の少なくとも一つを含む。
【０１２７】
前記横方向カードテーブルは、所定の配列方式により配列された一つの選択カードと少なくとも一つの候補カードを含み、前記横方向カードテーブルの切替え方向として、左方向及び／又は右方向を含む。
【０１２８】
前記縦方向カードテーブルは、所定の配列方式により配列された一つの選択カードと少なくとも一つの候補カードを含み、前記縦方向カードテーブルの切替え方向として、上方向及び／又は下方向を含む。
【０１２９】
前記マトリックスカードテーブルは、所定の配列方式により配列された一つの選択カードと少なくとも二つの候補カードを含み、前記マトリックスカードテーブルの切替え方向として、左方向、右方向、上方向及び下方向中の少なくとも二つの互いに垂直である方向を含む。
【０１３０】
前記所定の配列方式は、
過去の視聴時間の前後の順に順番付けする方式、又は、
過去の視聴回数の多少の順に順番付けする方式、又は、
マークされた回数の多少の順に順番付けする方式、又は、
各カードに対応するサブレベルコンテンツの番組番号の大小の順に順番付けする方式を含む。
【０１３１】
ステップ８０３において、第２の状態において切替え方向に対応する方向制御信号が受信されると、切替え方向に基づいて、カードテーブル中の一つの候補カードを選択カードに切替える。
【０１３２】
ステップ８０４において、第２の状態において、決定制御信号が受信されると、選択カードに対応するサブレベルコンテンツは表示されるがカードテーブルは表示されない第１の状態に切替える。
【０１３３】
ステップ８０５において、第２の状態において切替え方向と対応しない方向制御信号が受信されると、他のカードテーブルの表示に切替える。他のカードテーブルの切替え方向又は配列方式はカードテーブルと異なる。
【０１３４】
ステップ８０６において、第１の状態において所定方向と対応しない方向制御信号が受信されると、方向制御信号及び各カードの間の所定の配列方式に基づいて、現在表示されているサブレベルコンテンツを他のカードに対応するサブレベルコンテンツに直接切替える。
【０１３５】
ステップ８０７において、第１の状態において決定制御信号が受信されると、表示を一時的に停止するか、又は、サブレベルコンテンツ情報リストが表示される第３の状態に切替える。サブレベルコンテンツ情報リストは、順に配列され且少なくとも一つの切替え方向を有する各サブレベルコンテンツの概要情報を含み、概要情報は、番組番号、チャンネル名及び番組名中の少なくとも一つを含む。
【０１３６】
ステップ８０８において、第１の状態において指定方向の方向制御信号が受信され且つ第１の状態において現在表示されているサブレベルコンテンツがローカル再生コンテンツ又はオンライン再生コンテンツである場合、現在表示されているサブレベルコンテンツ上にＰＩＰウィンドウにより他のサブレベルコンテンツを表示する第４の状態に切替える。
【０１３７】
ステップ８０９において、第４の状態において、決定制御信号が受信されると、ＰＩＰウィンドウ中に表示された他のサブレベルコンテンツをフルスクリーン表示する第５の状態に切替える。
【０１３８】
以上をまとめると、本願実施例に係るリモートコントロール方法において、リモートコントローラから送信される方向制御信号と決定制御信号により表示装置を制御して、カードテーブルとサブレベルコンテンツの間の切替え、及びカードテーブル中の異なるカードの間の切替えを行うことにより、リモートコントローラ上の数字キーにより入力効率が低下する問題点を解消することができるので、以下の効果が得られる。数字キーを利用せず、リモートコントローラ上の方向キーと決定キーのみで異なるサブレベルコンテンツの間の切替え操作を実現することができるので、入力方法が簡単で効率がよく、操作中にリモートコントローラを見る必要も、事前に複雑な数字指令を記憶する必要もない。
【０１３９】
さらに、第２の状態において切替え方向に対応しない方向制御信号が受信されると、他のカードテーブルの表示に切替えることにより、以下の効果が得られる。リモートコントローラ上の方向キーをクリックするのみで異なるカードテーブルに切替えることができるので、操作中にリモートコントローラを見る必要も、事前に複雑な数字指令を記憶する必要もない。
【０１４０】
さらに、第１の状態において所定方向と対応しない方向制御信号が受信されると、方向制御信号及び各カードの間の所定の配列方式に基づいて、現在表示されているサブレベルコンテンツを他のカードに対応するサブレベルコンテンツに直接切替えることにより、以下の効果が得られる。リモートコントローラ上において方向キーを一回クリックするのみで、他のサブレベルコンテンツへ迅速に切替えることができる。
【０１４１】
さらに、第１の状態において決定制御信号が受信されると、サブレベルコンテンツ情報リストが表示される第３の状態に切替えられることにより、以下の効果が得られる。リモートコントローラ上の決定キーをクリックするのみで、サブレベルコンテンツ情報リストを迅速にポップアップ表示することができる。
【０１４２】
さらに、第１の状態において指定方向の方向制御信号が受信され且つ第１の状態において現在表示されているサブレベルコンテンツがローカル再生コンテンツ又はオンライン再生コンテンツである場合、現在表示されているサブレベルコンテンツ上にＰＩＰウィンドウにより他のサブレベルコンテンツを表示する第４の状態に切替えられ、第４の状態において決定制御信号が受信されると、ＰＩＰウィンドウ中に表示された他のサブレベルコンテンツをフルスクリーン表示する第５の状態に切替えられることにより、以下の効果が得られる。ローカル再生コンテンツ又はオンライン再生コンテンツを視聴する際に、ＰＩＰ機能により放送中のテレビ番組を確認することができるので、二つのサブレベルコンテンツの間で自由に切替え操作を行うことができる。
【０１４３】
前記の本願実施例の番号は、ただ説明の便宜のためであって、実施例の優劣を示すものではない。
【０１４４】
当業者であれば、前述の実施例の全部又は一部分のステップは、ハードウェアにより実現することも、プログラムにより対応するハードウェアに指令を下すことにより実現することも可能であること、を理解するだろう。前記プログラムは、コンピュータにより読取り可能な記憶媒体に記憶されてもよい。前記記憶媒体は、読取り専用メモリ、磁気ディスク又は光ディスク等であってもよい。
【０１４５】
以上は、本発明の好ましい実施例であって、本発明に対する限定ではない。本発明の趣旨と原則を逸脱しない範囲での様々な変更、均等物の置換及び改善等は、いずれも本発明の保護範囲に属する。
【図１】
2016507919.tif 000003
【図２Ａ】
2016507919.tif 000004
【図２Ｂ】
2016507919.tif 000005
【図２Ｃ】
2016507919.tif 000006
【図２Ｄ】
2016507919.tif 000007
【図３】
2016507919.tif 000008
【図４Ａ】
2016507919.tif 000009
【図４Ｂ】
2016507919.tif 000010
【図４Ｃ】
2016507919.tif 000011
【図４Ｄ】
2016507919.tif 000012
【図４Ｅ】
2016507919.tif 000013
【図４Ｆ】
2016507919.tif 000014
【図４Ｇ】
2016507919.tif 000015
【図４Ｈ】
2016507919.tif 000016
【図４Ｉ】
2016507919.tif 000017
【図４Ｊ】
2016507919.tif 000018
【図５】
2016507919.tif 000019
【図６】
2016507919.tif 000020
【図７】
2016507919.tif 000021
【図８】
2016507919.tif 000022
【手続補正書】
【提出日】平成27年5月27日(2015.5.27)
【手続補正１】
【補正対象書類名】明細書
【補正対象項目名】全文
【補正方法】変更
【補正の内容】
【発明の詳細な説明】
【相互参照】
【０００１】
本願は、出願番号がＣＮ２０１３１０３９０６１０．２であり、出願日が２０１３年８月３０日である中国特許出願に基づき優先権を主張し、当該中国特許出願のすべてのコンテンツを本願に援用する。
【技術分野】
【０００２】
本願は、電子技術分野に関し、特にリモートコントロールシステム、リモートコントローラ、表示装置及びリモートコントロール方法、プログラム及び記録媒体に関する。
【背景技術】
【０００３】
テレビジョンは、人々の日常生活において一番よく利用される電子機器の一つであり、テレビジョンに対する各種の操作は、リモートコントローラにより制御されることが多い。
【０００４】
従来のリモートコントローラは、電源キー、０〜９の数字キー、方向キー及び若干の機能キーが含む。数字キーによりテレビジョンをトリガーしてある機能を実現する場合、通常、複数の数字キーの組合せが必要である。例えば、ｘｘ衛星テレビに切替えたい場合、ｘｘ衛星テレビに対応するチャンネル番号が３６であるとすれば、ユーザは、リモートコントローラ上の数字キー３と数字キー６を押すことにより、テレビジョンをトリガーしてチャンネル番号が３６であるテレビ番組に切替える必要がある。
【０００５】
発明者は、本願発明の実現中において、背景技術に少なくとも、数字キーが１０個であるので、操作のためには、通常複数の数字キーの組合せが必要であるため、入力効率が低い、との問題点が存在することを見出した。言い換えると、ユーザは、数字キーの使用中において、数字を正確に入力するためには、リモートコントローラを見ながら操作しなければならない。また、ユーザが数字指令を忘れてしまった場合又は数字指令を知らない場合、正確に操作するためには複数回の試し入力が必要である。例えば、ユーザがｘｙ衛星テレビに切替えたいが、ｘｙ衛星テレビに対応するチャンネル番号を知らない場合、ユーザは、複数回の試し入力を行わないと、ｘｙ衛星テレビに正確に切替えることができない。
【発明の概要】
【発明が解決しようとする課題】
【０００６】
本願発明は、リモートコントローラ上の数字キーにより入力効率が低くなる問題点を解消するためになされたものであり、本願発明の実施例は、リモートコントロールシステム、リモートコントローラ、表示装置及びリモートコントロール方法、プログラム及び記録媒体を提供する。このような技術案は以下のようである。
【課題を解決するための手段】
【０００７】
本願実施例の第１の方面によれば、
決定キー及び異なる方向それぞれに対応する方向キーを備えるリモートコントローラと、
前記リモートコントローラにより制御される表示装置と
を含み、
前記リモートコントローラは、前記方向キーが押されると、前記表示装置に、当該方向キーに対応する方向の方向制御信号を送信し、
前記表示装置は、サブレベルコンテンツは表示されるがカードテーブルは表示されない第１の状態において、所定方向の前記方向制御信号が受信されると、順に配列された一つの選択カードと少なくとも一つの候補カードを含み且つ少なくとも一つの切替え方向を有する前記カードテーブルが表示される第２の状態に切替えられ、
前記表示装置は、さらに、前記第２の状態において、前記切替え方向に対応する前記方向制御信号が受信されると、前記切替え方向に基づいて、前記カードテーブル中の一つの候補カードを前記選択カードに切替え、
前記リモートコントローラは、さらに、前記決定キーが押されると、前記表示装置に決定制御信号を送信し、
前記表示装置は、前記第２の状態において、前記決定制御信号が受信されると、前記選択カードに対応するサブレベルコンテンツは表示されるが前記カードテーブルは表示されない第１の状態に切り替えられる
リモートコントロールシステムを提供する。
【０００８】
本願実施例の第２の方面によれば、
異なる方向それぞれに対応する方向キーと、
決定キーと、
前記方向キー及び前記決定キーのそれぞれと電気的に接続される制御ＩＣと、
前記制御ＩＣと電気的に接続される発信機と
を備え、
前記制御ＩＣは、前記方向キーが押されると、前記発信機を制御して、表示装置に、当該方向キーに対応する方向の方向制御信号を送信し、前記方向制御信号は、サブレベルコンテンツは表示されるがカードテーブルは表示されない第１の状態において、前記表示装置により受信され、且つ所定方向と対応する場合、前記表示装置をトリガーして前記カードテーブルが表示される第２の状態に切替えるための信号であり、当該カードテーブルは、順に配列された一つの選択カードと少なくとも一つの候補カードを含むとともに、少なくとも一つの切替え方向を有し、前記方向制御信号は、さらに、前記第２の状態において前記表示装置により受信され且つ前記切替え方向と対応する場合、前記表示装置をトリガーして、前記切替え方向に基づいて、前記カードテーブル中の一つの候補カードを前記選択カードに切替えるための信号であり、
前記制御ＩＣは、さらに、前記決定キーが押されると、前記発信機を制御して、前記表示装置に決定制御信号を送信し、前記決定制御信号は、前記第２の状態において前記表示装置により受信されると、前記選択カードに対応するサブレベルコンテンツは表示されるが前記カードテーブルは表示されない第１の状態に切替えるための信号である
リモートコントローラを提供する。
【０００９】
本願実施例の第３の方面によれば、
受信機と、
前記受信機と電気的に接続される制御ＩＣと、
前記制御ＩＣ電気的に接続される表示アセンブリと
を備え、
前記受信機は、リモートコントローラ上の方向キーが押されたときに前記リモートコントローラから送信される方向制御信号、又は前記リモートコントローラ上の決定キーが押されたときに前記リモートコントローラから送信される決定制御信号を受信し、
前記制御ＩＣは、前記表示アセンブリが、サブレベルコンテンツは表示されるがカードテーブルは表示されない第１の状態にあり、且つ前記受信機が所定方向に対応する前記方向制御信号を受信した場合、前記表示アセンブリを制御して、順に配列された一つの選択カードと少なくとも一つの候補カードを含み且つ少なくとも一つの切替え方向を有する前記カードテーブルが表示される第２の状態に切替え、
前記制御ＩＣは、さらに、前記表示アセンブリが第２の状態にあり、且つ前記受信機が前記切替え方向に対応する前記方向制御信号を受信した場合、前記表示アセンブリを制御して、前記切替え方向に基づいて、前記カードテーブル中の一つの候補カードを前記選択カードに切替え、
前記制御ＩＣは、さらに、前記表示アセンブリが前記第２の状態にあり、且つ前記受信機が前記決定制御信号を受信した場合、前記表示アセンブリを制御して、前記選択カードに対応するサブレベルコンテンツは表示されるが前記カードテーブルは表示されない第１の状態に切替える
表示装置を提供する。
【００１０】
本願実施例の第４の方面によれば、
リモートコントローラ上の方向キーが押されたときに前記リモートコントローラから送信される方向制御信号、又は前記リモートコントローラ上の決定キーが押されたときに前記リモートコントローラから送信される決定制御信号を受信するステップと、
サブレベルコンテンツは表示されるがカードテーブルは表示されない第１の状態において、所定方向の前記方向制御信号が受信されると、順に配列された一つの選択カードと少なくとも一つの候補カードを含み且つ少なくとも一つの切替え方向を有する前記カードテーブルが表示される第２の状態に切替えるステップと、
前記第２の状態において、前記切替え方向に対応する前記方向制御信号が受信されると、前記切替え方向に基づいて、前記カードテーブル中の一つの候補カードを前記選択カードに切替えるステップと、
前記第２の状態において、前記決定制御信号が受信されると、前記選択カードに対応するサブレベルコンテンツは表示されるが前記カードテーブルは表示されない第１の状態に切替えるステップと
を含むリモートコントロール方法を提供する。
本願実施例の第５の方面によれば、
プロセッサに実行されることにより、本願実施例の第４の方面に記載のリモートコントロール方法を実現するプログラムを提供する。
本願実施例の第６の方面によれば、
本願実施例の第５の方面に記載のプログラムが記録された記録媒体を提供する。
【００１１】
本願実施例により提供される技術案によれば、
リモートコントローラは方向制御信号と決定制御信号により表示装置を制御して、カードテーブルとサブレベルコンテンツの間の切替え、及びカードテーブル中の異なるカードの間の切替えを行うことにより、リモートコントローラ上の数字キーにより入力効率が低下する問題点を解消することができるので、数字キーを利用せず、リモートコントローラ上の方向キーと決定キーのみで異なるサブレベルコンテンツの間の切替え操作を実現することができて、入力方法が簡単で効率がよく、操作中にリモートコントローラを見る必要も、事前に複雑な数字指令を記憶する必要もないという有益な効果が得られる。
【００１２】
以上の一般的な説明及び後述の詳細な説明は、例示的なものに過ぎず、本発明に対する限定として理解してはいけないことは言うまでもない。
【図面の簡単な説明】
【００１３】
以下、本願実施例中の技術案をより明確に説明するために、実施例の説明に用いられる図面を簡単に説明することにする。以下に説明する図面は、本願発明の幾つかの実施例に過ぎず、当業者であれば、これらの図面から、創造的な労働を必要とせずに他の図面に想到することは、言うまでもない。
【００１４】
以下の図面は、明細書に組み込まれて本願明細書の一部分となり、本願発明に合致する実施例を示し、且つ明細書とともに、本発明の原理を説明するために用いられる。
【００１５】
【図１】例示的な実施例に係るリモートコントロールシステムの構成を示す模式図である。
【図２Ａ】例示的な実施例に係るリモートコントロールシステムの表示装置が第１の状態にある際のインターフェースの模式図である。
【図２Ｂ】例示的な実施例に係るリモートコントロールシステムの表示装置が、横方向カードテーブルが表示される第２の状態にある際のインターフェースの模式図である。
【図２Ｃ】例示的な実施例に係るリモートコントロールシステムの表示装置が、縦方向カードテーブルが表示される第２の状態にある際のインターフェースの模式図である。
【図２Ｄ】例示的な実施例に係るリモートコントロールシステムの表示装置が、マトリックスカードテーブルが表示される第２の状態にある際のインターフェースの模式図である。
【図３】例示的な実施例に係るリモートコントロールシステムの構成を示す模式図である。
【図４Ａ】図３に示す実施例の表示装置が異なる表示状態にある際のインターフェースの模式図である。
【図４Ｂ】図３に示す実施例の表示装置が異なる表示状態にある際のインターフェースの模式図である。
【図４Ｃ】図３に示す実施例の表示装置が異なる表示状態にある際のインターフェースの模式図である。
【図４Ｄ】図３に示す実施例の表示装置が異なる表示状態にある際のインターフェースの模式図である。
【図４Ｅ】図３に示す実施例の表示装置が異なる表示状態にある際のインターフェースの模式図である。
【図４Ｆ】図３に示す実施例の表示装置が異なる表示状態にある際のインターフェースの模式図である。
【図４Ｇ】図３に示す実施例の表示装置が異なる表示状態にある際のインターフェースの模式図である。
【図４Ｈ】図３に示す実施例の表示装置が異なる表示状態にある際のインターフェースの模式図である。
【図４Ｉ】図３に示す実施例の表示装置が異なる表示状態にある際のインターフェースの模式図である。
【図４Ｊ】図３に示す実施例の表示装置が異なる表示状態にある際のインターフェースの模式図である。
【図５】例示的な実施例に係るリモートコントローラの構成を示す模式図である。
【図６】例示的な実施例に係る表示装置の構成を示す模式図である。
【図７】例示的な実施例に係るリモートコントロール方法のフローチャートである。
【図８】例示的な実施例に係るリモートコントロール方法のフローチャートである。
【発明を実施するための形態】
【００１６】
以下、本願発明の目的、技術案及び利点をより明確にするために、図面を参照して、本願発明の実施例に対しさらに詳しく説明するようにする。
【００１７】
図１は、本願発明の一実施例のリモートコントロールシステムの構成を示す模式図である。当該リモートコントロールシステムは、リモートコントローラ１２０、及びリモートコントローラ１２０により制御される表示装置１４０を含み、リモートコントローラ１２０は、異なる方向それぞれに対応する方向キー１２２と、決定キー１２４とを含む。
【００１８】
リモートコントローラ１２０は、方向キー１２２が押されると、表示装置１４０に、当該方向キー１２２に対応する方向の方向制御信号を送信する。
【００１９】
表示装置１４０は、サブレベルコンテンツ（ｓｕｂ−ｌｅｖｅｌ  ｃｏｎｔｅｎｔ）が表示され且つカードテーブルは表示されない第１の状態において、所定方向の方向制御信号が受信されると、カードテーブルが表示される第２の状態に切替えられる。当該カードテーブルは、順に配列された一つの選択カードと少なくとも一つの候補カードを含むとともに、少なくとも一つの切替え方向を有する。
【００２０】
第１の状態については、図２Ａに示された内容を参照することができる。また、第２の状態については、図２Ｂ又は図２Ｃ又は図２Ｄに示された内容を参照することができる。
【００２１】
表示装置１４０は、第２の状態において、切替え方向に対応する方向制御信号が受信されると、切替え方向に基づいて、カードテーブル中の一つの候補カードを選択カードに切替える。
【００２２】
リモートコントローラ１２０は、決定キー１２４が押されると、表示装置に決定制御信号を送信する。
【００２３】
表示装置１４０は、第２の状態において、決定制御信号が受信されると、選択カードに対応するサブレベルコンテンツは表示されるがカードテーブルは表示されない第１の状態に切替えられる。
【００２４】
以上をまとめると、本願実施例に係るリモートコントロールシステムにおいて、リモートコントローラは、方向制御信号と決定制御信号により表示装置を制御して、カードテーブルとサブレベルコンテンツとの切替え、及びカードテーブル中の異なるカードの間の切替えを行うことにより、リモートコントローラ上の数字キーにより入力効率が低下する問題点を解消することができるので、以下の効果が得られる。数字キーを利用せず、リモートコントローラ上の方向キーと決定キーのみで異なるサブレベルコンテンツの間の切替え操作を実現することができるので、入力方法が簡単で効率がよく、操作中にリモートコントローラを見る必要も、事前に複雑な数字指令を記憶する必要もない。
【００２５】
説明しておくべきことは、本願明細書において説明するリモートコントローラは、必ず、方向キーと決定キーを含まなければならず、通常、数字キーは含んでいない。また、数字キーを含んでもよいが、数字キーを日常の操作キーとせず、入力欄に数字を入力するためにのみ用いる。また、伝統的なリモートコントローラに以上の各実施例を適用してもよい。方向キーと決定キーのみを含む場合、リモートコントローラをさらに小さく、さらに軽薄に製作することができ、重量が軽くなりコストが節減できるという効果を有する。
【００２６】
図３は、本願発明の他の実施例に係るリモートコントロールシステムの構成を示す模式図である。本実施例について、当該リモートコントローラは数字キーを備えず、表示装置はスマートテレビジョンである場合を例に挙げて説明するようにする。当該リモートコントロールシステムは、リモートコントローラ３２０と、リモートコントローラ３２０により制御される表示装置３４０とを含む。
【００２７】
リモートコントローラ３２０は、異なる方向それぞれに対応する方向キーと、決定キー３２１とを含む。当該方向キーは、左方向キー３２２、右方向キー３２３、上方向キー３２４及び下方向キー３２５を含む。これらの四つの方向キーは、連続する円環状にリモートコントローラ３２０の表面に分布され、決定キー３２１はこれらの四つの方向キーの中央に位置する。異なる実施例により、方向キーの個数が異なってもよく、例えば、方向キーは２個であっても、８個等であってもよい。リモートコントローラ３２０は、選択的に、電源キー３２６（表示装置３４０の電源オンを制御するためのもの）、ホームキー３２７（表示装置３４０のデスクトップの表示を制御するためのもの）、バックキー３２８（表示装置３４０がすぐ前の操作に戻るように制御するためのもの）、メニューキー３２９（表示装置のメニューの表示を制御するためのもの）及び音量キー３０の中の一つ又は複数を含んでもよい。
【００２８】
本願実施例において、提供されたリモートコントローラのインターフェース上に電源キー又は／及びホームキーが設けられてない場合、表示装置３４０の電源オンは、リモートコントローラの決定キー３２１を長押しすることで実現するように制御してもよく、表示装置３４０のデスクトップ表示への切替えは、決定キーをダブルクリンックすることで実現するように制御してもよい。本技術案において、リモートコントローラでメニューキー、電源キーが省略された場合、方向キーの組合せ、決定キーの長押し又は決定キーの複数回クリック等の方法により、メニューキー又は電源キーの機能を実現することができるが、これらに対し、本実施例ではこれ以上の限定は行わない。
【００２９】
表示装置３４０はスマートテレビジョンであり、無線通信技術によりリモートコントローラ３２０と通信を行う。当該無線通信技術は、赤外線、ブルートゥース、ＷｉＦｉ（Ｗｉｒｅｌｅｓｓ  Ｆｉｄｅｌｉｔｙ）ネットワーク又はＺｉｇＢｅｅを含む。他の実施例において、当該表示装置３４０は、デスクトップパソコン、ノートパソコン、タブレットＰＣ又はオールインワンパソコン等であってもよい。
【００３０】
リモートコントローラ３２０は、方向キーが押されると、表示装置３４０に、当該方向キーに対応する方向の方向制御信号を送信する。即ち、リモートコントローラ３２０は、左方向キー３２２が押されると、表示装置３４０に、左方向の方向制御信号を送信し、右方向キー３２３が押されると、表示装置３４０に、右方向の方向制御信号を送信し、上方向キー３２４が押されると、表示装置３４０に、上方向の方向制御信号を送信し、下方向キー３２５が押されると、表示装置３４０に、下方向の方向制御信号を送信する。
【００３１】
表示装置３４０は、サブレベルコンテンツは表示されるがカードテーブルは表示されない第１の状態において、所定方向の方向制御信号が受信されると、カードテーブルが表示される第２の状態に切替えられる。当該カードテーブルは、順に配列された一つの選択カードと少なくとも一つの候補カードを含むとともに、少なくとも一つの切替え方向を有する。
【００３２】
第１の状態については、図２Ａに示された内容を参照することができる。表示装置１４０は、第１の状態において、サブレベルコンテンツ３１を表示するがカードテーブルは表示しない。当該サブレベルコンテンツは、具体的な一つのテレビチャンネル９であってもよく、又は、ローカルＨＤ再生リソース、アプリケーションストアのインターフェース、又はゲームセンターのインターフェース等であってよい。
【００３３】
第２の状態については、図２Ｂ、図２Ｃ又は図２Ｄに示された内容を参照してもよい。表示装置１４０は、第２の状態においてカードテーブル３２を表示する。カードテーブルは、図２Ｂに示すような横方向カードテーブル、図２Ｃに示すような縦方向カードテーブル及び図２Ｄに示すようなマトリックスカードテーブルの中の任意の一つであってもよい。表示装置１４０の電源オン後、通常、一つのカードテーブルを直接表示し、表示装置１４０の作動中においてカードテーブルを表示する必要がある場合、通常、現在表示しているサブレベルコンテンツの上に一つのカードテーブルを重畳して表示する。
【００３４】
横方向カードテーブルは、所定の配列方式により配列された一つの選択カード３３と少なくとも一つの候補カード３４を含み、横方向カードテーブルの切替え方向は、左方向及び／又は右方向を有する。図２Ｂにおいては、切替え方向として、左方向と右方向とを同時に含む。
【００３５】
縦方向カードテーブルは、所定の配列方式により配列された一つの選択カード３５と、少なくとも一つの候補カード３６とを含み、縦方向カードテーブルの切替え方向は、上方向及び／又は下方向を有する。図２Ｃにおいては、切替え方向として、上方向と下方向とを同時に含む。
【００３６】
マトリックスカードテーブルは、所定の配列方式により配列された一つの選択カード３７と、少なくとも二つの候補カード３８を含み、マトリックスカードテーブルの切替え方向は、左方向、右方向、上方向及び下方向の中の少なくとも二つの互いに垂直である方向を有する。図２Ｄにおいて、切替え方向として、左方向、右方向、上方向及び下方向を同時に含む。
【００３７】
各カードは、それぞれ表示インターフェースの一部の領域を占めている。各カードそれぞれは、矩形、円形、正方形又は角丸矩形等の幾何形状であってもよい。各カードそれぞれは一つのサブレベルコンテンツに対応する。例えば、各テレビチャンネルは一つのサブレベルコンテンツであり、それぞれ一つのカードに対応する。また、例えば、テレビジョンの各ハードウェアポートは一つのカードに対応し、各カードそれぞれのサブレベルコンテンツは当該ハードウェアポートにより提供されるローカルＨＤ再生リソースである。各カードそれぞれの表示コンテンツは、サブレベルコンテンツの紹介情報、番組番号、チャンネル名及び番組名を含んでもよく、紹介情報は、ポスター画像及び／又は文字による説明であってもよい。
【００３８】
類型が同一である異なるカードテーブルは、互いに異なる所定の配列方式を有する。所定の配列方式として、以下の方式を含む。
【００３９】
過去の視聴時間の前後の順に順番付けする方式、所謂「最近視聴」の方式である。例えば、最近に視聴した時間の順に、即ち時間が新しい方から古い方への順にしたがって、カードテーブルにおいて左から右への順に順番付けする方式である。
【００４０】
過去の視聴回数の多少の順に順番付けする方式、所謂「頻繁視聴」の方式である。例えば、過去の視聴回数の多少の順に、即ち回数が多い方から少ない方への順にしたがって、カードテーブルにおいて左から右への順に順番付けする方式である。
【００４１】
マークされた回数の多少の順に順番付けする方式、所謂「お気に入り」の方式である。例えば、「お気に入り」としてマークされた回数の多少の順に、即ち回数が多い方から少ない方への順にしたがって、カードテーブルにおいて左から右への順に順番付けする方式である。
【００４２】
各カードに対応するサブレベルコンテンツの番組番号の大小の順に順番付けする方式、所謂「テレビジョンウォール」の方式である。例えば、番組番号の大小の順に、即ち番組番号が小さい方から大きい方への順にしたがって、カードテーブルにおいて左から右への順に順番付けする方式である。本実施例において、テレビジョンウォールは、複数のチャンネルの放送中のコンテンツをプレビューするための表示モードであり、テレビジョンウォールの表示モードにおいて、テレビジョンスクリーンの表示領域を予め設定した寸法の複数の矩形のサブ表示領域に区画し、各サブ表示領域それぞれにより、検索された異なるチャンネルに対応するプレビューコンテンツを表示する。当該プレビューコンテンツは、当該チャンネルの放送中の動画又はそのキャプチャ画像であってもよい。
【００４３】
前記所定方向の方向制御信号は、左方向の方向制御信号であってもよく、これに対応して表示されるカードテーブルは、横方向カードテーブルであってもよい。例えば、表示装置３４０は、「テレビチャンネル９」というサブレベルコンテンツは表示されるがカードテーブルは表示されない第１の状態にある場合、左方向の方向制御信号が受信されると、横方向カードテーブルが表示される第２の状態に切替えられる。当該横方向カードテーブルは、図４Ａに示すように、過去の視聴時間の前後の順に順番付けされもよい。
【００４４】
前記所定方向の方向制御信号は、右方向の方向制御信号であってもよく、これに対応して表示されるカードテーブルは、マトリックスカードテーブルであってもよい。例えば、表示装置３４０は、「テレビチャンネル７」というサブレベルコンテンツは表示されるがカードテーブルは表示されない第１の状態にある場合、右方向の方向制御信号が受信されると、マトリックスカードテーブルが表示される第２の状態に切替えられる。当該マトリックスカードテーブルは、図４Ｂに示すように、番組番号の大小の順に順番付けされてもよい。
【００４５】
追加説明しておくべきことは、本実施例において、所定方向として、左方向と右方向中の少なくとも一つを含み、左方向と右方向とを同時に含む場合、これらの二つの方向のそれぞれは、互いに異なる配列方式及び／又は互いに異なる切替え方向を有するカードテーブルに対応する場合のみを例に挙げて説明している。他の実施例において、所定方向として上方向及び下方向中の少なくとも一つを含んでもよく、上方向と下方向とを同時に含む際には、二つの方向のそれぞれは、異なる配列方式及び／又は異なる切替え方向を有するカードテーブルに対応する。また、カードテーブルにおける初期の選択カードは所定のカードであってもよく、現在表示されているサブレベルコンテンツに対応するカードであってもよい。
【００４６】
表示装置３４０は、さらに、第２の状態において切替え方向の方向制御信号が受信された場合、切替え方向に基づいて、カードテーブル中の一つの候補カードを選択カードに切替える。
【００４７】
例えば、カードテーブルが図４Ａに示すような横方向カードテーブルであり、切替え方向として左方向と右方向を含む場合、表示装置３４０は、図４Ｃに示すように、左方向に対応する方向制御信号が受信されると、切替え方向に基づいて、現在の選択カードの左方向に位置する候補カード「８」を選択カードに切替えるとともに、現在の選択カード「９」を候補カードに切替え、また、右方向に対応する方向制御信号が受信されると、切替え方向に基づいて、現在の選択カードの右方向に位置する候補カード「３」を選択カードに切替えるとともに、現在の選択カード「９」を候補カードに切替える。
【００４８】
また、例えば、カードテーブルが図４Ｂに示すようなマトリックスカードテーブルであり、切替え方向として上下左右の四つの方向を含む場合、表示装置３４０は、図４Ｄに示すように、上方向に対応する方向制御信号が受信されると、切替え方向に基づいて、現在の選択カードの上方向に位置する候補カード「３」を選択カードに切替えるとともに、現在の選択カード「７」を候補カードに切替え、下方向に対応する方向制御信号が受信されると、切替え方向に基づいて、現在の選択カードの下方向に位置する候補カード「１１」を選択カードに切替えるとともに、現在の選択カード「７」を候補カードに切替え、左方向に対応する方向制御信号が受信されると、切替え方向に基づいて、現在の選択カードの左方向に位置する候補カード「６」を選択カードに切替えるとともに、現在の選択カード「７」を候補カードに切替え、また、右方向に対応する方向制御信号が受信されると、切替え方向に基づいて、現在の選択カードの右方向に位置する候補カード「８」を選択カードに切替えるとともに、現在の選択カード「７」を候補カードに切替える。
【００４９】
リモートコントローラ３２０は、決定キー３２１が押されると、表示装置３４０に決定制御信号を送信する。
【００５０】
表示装置３４０は、第２の状態において、決定制御信号が受信されると、選択カードに対応するサブレベルコンテンツは表示されるがカードテーブルは表示されない第１の状態に切替えられる。
【００５１】
例えば、表示装置３４０は、図４Ｃ中の上図に示すような第２の状態にある場合、決定制御信号が受信されると、図４Ｅに示すように、選択カード「８」に対応するサブレベルコンテンツは表示されるがカードテーブルは表示されない第１の状態に切替えられる。
【００５２】
通常、ユーザは、上述の過程により、異なるチャンネルの間で切替え操作を便利に行うことができる。
【００５３】
表示装置３４０は、さらに、第２の状態において切替え方向に対応しない方向制御信号が受信されると、他のカードテーブルの表示に切替える。当該他のカードテーブルの切替え方向又は配列方式は現在のカードテーブルと異なる。
【００５４】
例えば、図４Ａに示すような横方向カードテーブルである場合、表示装置３４０は、図４Ｆに示すように、上方向の方向制御信号が受信されると、当該上方向が横方向カードテーブルの切替え方向と対応しないため、配列方式が過去の視聴回数の多少の順に順番付けされた横方向カードテーブルである他のカードテーブルの表示に切替え、下方向の方向制御信号が受信されると、当該下方向が横方向カードテーブルの切替え方向と対応しないため、配列方式がマークされた回数の多少の順に順番付けされた横方向カードテーブルである他のカードテーブルに切替える。
【００５５】
図４Ｆから分かるように、ユーザにより上方向キー又は下方向キーが連続して複数回押されると、表示装置３４０に表示されるカードテーブルは、「最近視聴」の横方向カードテーブル、「頻繁視聴」の横方向カードテーブル及び「お気に入り」の横方向カードテーブルの三者の間で循環的に切替えられる。
【００５６】
表示装置３４０は、さらに、第１の状態において所定方向に対応しない方向制御信号が受信されると、方向制御信号及び各カードの間の所定の配列方式に基づいて、現在表示されているサブレベルコンテンツを他のカードに対応するサブレベルコンテンツに直接切替える。
【００５７】
例えば、表示装置３４０は、図２Ａに示すような第１の状態にある場合、図４Ｇに示すように、上方向の方向制御信号が受信されると、当該上方向が所定方向（左方向及び右方向）と対応しないため、方向制御信号及び各カードの間の所定の配列方式に基づいて、現在表示されているサブレベルコンテンツ「９」を他のカードに対応するサブレベルコンテンツ「８」に直接切替える。ここで、当該所定の配列方式は、各カードに対応するサブレベルコンテンツの番組番号の大小の順に順番付けされる方式であってもよい。また、表示装置３４０は、下方向の方向制御信号が受信されると、当該下方向が所定方向（左方向及び右方向）と対応しないため、方向制御信号及び各カードの間の所定の配列方式に基づいて、現在表示されているサブレベルコンテンツ「９」を他のカードに対応するサブレベルコンテンツ「１０」に直接切替える。ここで、当該所定の配列方式は、各カードに対応するサブレベルコンテンツの番組番号の大小の順に順番付けされる方式であってもよい。
【００５８】
表示装置３４０は、さらに、第１の状態において決定制御信号が受信されると、表示を一時的に停止するか、又はサブレベルコンテンツ情報リストが表示される第３の状態に切替えられる。サブレベルコンテンツ情報リストは、順に配列され且つ少なくとも一つの切替え方向を有する各サブレベルコンテンツの概要情報を含み、概要情報は、番組番号、チャンネル名及び番組名の中の少なくとも一つを含む。
【００５９】
例えば、表示装置３４０は、図２Ａに示すように第１の状態にあり、且つ当該サブレベルコンテンツが例えばローカルＨＤ再生リソースのように一時的に停止可能である場合、決定制御信号が受信されると、表示を一時的に停止する。また、例えば、表示装置３４０は、第１の状態にあり、且つ当該サブレベルコンテンツが例えば放送中のテレビ番組のように一時的に停止不可のコンテンツである場合、決定制御信号が受信されると、図４Ｈに示すように、サブレベルコンテンツ情報リストが表示される第３の状態に切替えられる。当該サブレベルコンテンツ情報リストは、順に配列され且つ少なくとも一つの切替え方向を有する各サブレベルコンテンツの概要情報を含み、概要情報は、番組番号及びチャンネル名を含む。サブレベルコンテンツ情報リストとカードテーブルとの相違点として、サブレベルコンテンツ情報リストは「リスト＋文字」の形態で表されているが、カードテーブルは「画像＋文字」の形態で表されている傾向が強い。
【００６０】
表示装置３４０は、第１の状態において指定方向の方向制御信号が受信され且つ第１の状態において現在表示されているサブレベルコンテンツがローカル再生コンテンツ又はオンライン再生コンテンツである場合、現在表示されているサブレベルコンテンツ上にピクチャーインピクチャー（ｐｉｃｔｕｒｅ  ｉｎ  ｐｉｃｔｕｒｅ、以下ＰＩＰと称する）ウィンドウにより他のサブレベルコンテンツを表示する第４の状態に切替えられる。
【００６１】
当該指定方向は、前記の所定方向と同一の方向であってもよく、異なる方向であってもよい。ローカル再生コンテンツとは、テレビジョンに接続されたＨＤ再生機、セットトップボックス、ジュークボックス又はゲーム機がハードウェアポートを介して提供する再生コンテンツである。ネットワーク再生コンテンツとは、テレビジョンに接続された家庭用パソコン又はリモートサーバがネットワークを介して提供するオンライン再生コンテンツである。
【００６２】
例えば、表示装置３４０は、第１の状態において上方向の方向制御信号が受信され且つ第１の状態において現在表示されているサブレベルコンテンツがローカル再生コンテンツ又はオンライン再生コンテンツである場合、図４Ｉに示すように、現在表示されているサブレベルコンテンツ上にＰＩＰウィンドウにより他のサブレベルコンテンツ３９が表示される第４の状態に切替えられる。当該他のサブレベルコンテンツ３９は、最近視聴したテレビチャンネル「３」であってもよい。
【００６３】
表示装置３４０は、第４の状態において決定制御信号が受信されると、ＰＩＰウィンドウ中に表示された他のサブレベルコンテンツをフルスクリーン表示する第５の状態に切替えられる。
【００６４】
例えば、表示装置３４０は、図４Ｉに示すような第４の状態において決定制御信号が受信されると、図４Ｊに示すように、ＰＩＰウィンドウ中に表示された他のサブレベルコンテンツ「３」をフルスクリーン表示する第５の状態に切替えられる。第５の状態において、第４の状態において表示されたサブレベルコンテンツは、図４Ｊ中に示すように、一時的に停止されてバックグラウンドに切替えられるか、閉じられるか、又はＰＩＰウィンドウ中に切替えられる。
【００６５】
表示装置３４０は、さらに、第１の状態において指定方向に対応しない方向制御信号が受信され且つ第１の状態において現在表示されているサブレベルコンテンツがローカル再生コンテンツ又はオンライン再生コンテンツである場合、ローカル再生コンテンツ又はオンライン再生コンテンツに対し早送り又は早戻しの操作を行う。
【００６６】
例えば、表示装置３４０は、第１の状態において左方向の方向制御信号が受信され且つ第１の状態において現在表示されているサブレベルコンテンツがローカル再生コンテンツ又はオンライン再生コンテンツである場合、ローカル再生コンテンツ又はオンライン再生コンテンツに対し早戻しの操作を行う。これに対し、右方向の方向制御信号が受信されると、ローカル再生コンテンツ又はオンライン再生コンテンツに対し早送りの操作を行う。
【００６７】
表示装置３４０は、さらに、第４の状態において特定の方向の方向制御信号が受信されると、ＰＩＰウィンドウ中に表示された他のサブレベルコンテンツをさらに他のサブレベルコンテンツに切替える。
【００６８】
例えば、表示装置３４０は、第４の状態において上方向の方向制御信号が受信されると、ＰＩＰウィンドウ中に表示された他のサブレベルコンテンツ「９」をさらに他のサブレベルコンテンツ「８」に切替える。また、表示装置３４０は、第４の状態において下方向の方向制御信号が受信されると、ＰＩＰウィンドウ中に表示された他のサブレベルコンテンツ「９」をさらに他のサブレベルコンテンツ「１０」に切替える。
【００６９】
以上をまとめると、本願実施例に係るリモートコントロールシステムにおいて、リモートコントローラは、方向制御信号及び決定制御信号により表示装置を制御して、カードテーブルとサブレベルコンテンツとの切替え、及びカードテーブル中の異なるカードの間の切替えを行うことにより、リモートコントローラ上の数字キーにより入力効率が低下する問題点を解消することができるので、以下の効果が得られる。数字キーを利用せず、リモートコントローラ上の方向キーと決定キーのみで異なるサブレベルコンテンツの間の切替え操作を実現することができるので、入力方法が簡単で効率がよく、操作中にリモートコントローラを見る必要も、事前に複雑な数字指令を記憶する必要もない。
【００７０】
さらに、第２の状態において切替え方向に対応しない方向制御信号が受信されると、他のカードテーブルの表示に切替えることにより、以下の効果が得られる。リモートコントローラ上の方向キーをクリックするのみで異なるカードテーブルに切替えることができるので、操作中にリモートコントローラを見る必要も、事前に複雑な数字指令を記憶する必要もない。
【００７１】
さらに、第１の状態において所定方向に対応しない方向制御信号が受信されると、方向制御信号及び各カードの間の所定の配列方式に基づいて、現在表示されているサブレベルコンテンツを他のカードに対応するサブレベルコンテンツに直接切替えることにより、以下の効果が得られる。リモートコントローラ上において方向キーを一回クリックするのみで、他のサブレベルコンテンツへ迅速に切替えることができる。
【００７２】
さらに、第１の状態において決定制御信号が受信されると、表示装置がサブレベルコンテンツ情報リストが表示される第３の状態に切替えられることにより、以下の効果が得られる。リモートコントローラ上の決定キーをクリックするのみで、サブレベルコンテンツ情報リストを迅速にポップアップ表示することができる。
【００７３】
さらに、第１の状態において指定方向の方向制御信号が受信され且つ第１の状態において現在表示されているサブレベルコンテンツがローカル再生コンテンツ又はオンライン再生コンテンツである場合、現在表示されているサブレベルコンテンツ上にＰＩＰウィンドウにより他のサブレベルコンテンツを表示する第４の状態に切替えられ、第４の状態において決定制御信号が受信されると、ＰＩＰウィンドウ中に表示された他のサブレベルコンテンツをフルスクリーン表示する第５の状態に切替えられることにより、以下の効果が得られる。ローカル再生コンテンツ又はオンライン再生コンテンツを視聴する際に、ＰＩＰ機能により放送中のテレビ番組を確認することができるので、二つのサブレベルコンテンツの間で自由に切替え操作を行うことができる。
【００７４】
図５は、本願発明の一実施例に係るリモートコントローラの構成を示す模式図である。当該リモートコントローラは、異なる方向それぞれに対応する方向キー５２０と、決定キー５４０と、方向キー５２０及び決定キー５４０のそれぞれと電気的に接続する制御ＩＣ５６０と、制御ＩＣ５６０と電気的に接続する発信機５８０を含む。
【００７５】
制御ＩＣ５６０は、前記方向キー５２０が押されると、前記発信機５８０を制御して、表示装置に、当該方向キーに対応する方向の方向制御信号を送信する。
【００７６】
前記方向制御信号は、サブレベルコンテンツは表示されるがカードテーブルは表示されない第１の状態において前記表示装置により受信され且つ所定方向と対応する場合、前記表示装置をトリガーして前記カードテーブルが表示される第２の状態に切替えるための信号である。前記カードテーブルは、順に配列された一つの選択カードと少なくとも一つの候補カードを含み、且つ前記カードテーブルは少なくとも一つの切替え方向を有する。
【００７７】
前記方向制御信号は、さらに、前記第２の状態において前記表示装置により受信され且つ前記切替え方向と対応する場合、前記表示装置をトリガーして、前記切替え方向に基づいて、前記カードテーブル中の一つの候補カードを前記選択カードに切替えるための信号である。
【００７８】
制御ＩＣ５６０は、さらに、前記決定キーが押されると、前記発信機を制御して、前記表示装置に向けて決定制御信号を送信する。前記決定制御信号は、前記第２の状態において前記表示装置により受信されると、前記選択カードに対応するサブレベルコンテンツは表示されるが前記カードテーブルは表示されない第１の状態に切替えるための信号である。
【００７９】
以上をまとめると、本願実施例に係るリモートコントローラは、方向制御信号と決定制御信号により表示装置を制御して、カードテーブルとサブレベルコンテンツとの切替え、及びカードテーブル中の異なるカードの間の切替えを行うことにより、リモートコントローラ上の数字キーにより入力効率が低下する問題点を解消することができるので、以下の効果が得られる。数字キーを利用せず、リモートコントローラ上の方向キーと決定キーのみで異なるサブレベルコンテンツの間の切替え操作を実現することができるので、入力方法が簡単で効率がよく、操作中にリモートコントローラを見る必要も、事前に複雑な数字指令を記憶する必要もない。
【００８０】
図５に基づく実施例のさらに好ましい実施例において、前記方向制御信号は、さらに、前記第２の状態において前記表示装置により受信され且つ前記切替え方向と対応しない場合、前記表示装置をトリガーして他のカードテーブルの表示に切替えるための信号である。前記他のカードテーブルの切替え方向又は配列方式は前記カードテーブルと異なる。
【００８１】
図５に基づく実施例のさらに好ましい実施例において、前記方向制御信号は、さらに、前記第１の状態において前記表示装置により受信され且つ前記所定方向と対応しない場合、前記表示装置をトリガーして、前記方向制御信号及び各カードの間の所定の配列方式に基づいて、現在表示されているサブレベルコンテンツを他のカードに対応するサブレベルコンテンツに直接切替える。
【００８２】
図５に基づく実施例のさらに好ましい実施例において、前記決定制御信号は、さらに、前記第１の状態において前記表示装置により受信されると、前記表示装置をトリガーして表示を一時的に停止するか、又は、前記表示装置をトリガーして、サブレベルコンテンツ情報リストが表示される第３の状態に切替えるための信号である。前記サブレベルコンテンツ情報リストは、順に配列され且少なくとも一つの切替え方向を有する各サブレベルコンテンツの概要情報を含み、前記概要情報は、番組番号、チャンネル名及び番組名中の少なくとも一つを含む。
【００８３】
図５に基づく実施例のさらに好ましい実施例において、前記方向制御信号は、さらに、前記第１の状態において前記表示装置により受信され、指定方向と対応し且つ前記第１の状態において現在表示されているサブレベルコンテンツがローカル再生コンテンツ又はオンライン再生コンテンツである場合、前記表示装置をトリガーして、前記現在表示されているサブレベルコンテンツ上にＰＩＰウィンドウにより他のサブレベルコンテンツを表示する第４の状態に切替えるための信号である。
【００８４】
前記決定制御信号は、さらに、前記第４の状態において前記表示装置により受信されると、前記表示装置をトリガーして、前記ＰＩＰウィンドウ中に表示された前記他のサブレベルコンテンツをフルスクリーン表示する第５の状態に切替えるための信号である。
【００８５】
図５に基づく実施例のさらに好ましい実施例において、前記所定方向として、左方向と右方向中の少なくとも一つを含み、左方向と右方向とを同時に含む場合、これらの二つの方向のそれぞれは、互いに異なる配列方式及び／又は互いに異なる切替え方向を有するカードテーブルに対応する。また、前記所定方向として、上方向と下方向中の少なくとも一つを含み、上方向と下方向とを同時に含む場合、これらの二つの方向のそれぞれは、互いに異なる配列方式及び／又は互いに異なる切替え方向を有するカードテーブルに対応する。
【００８６】
図５に基づく実施例のさらに好ましい実施例において、前記カードテーブルは、横方向カードテーブル、縦方向カードテーブル及びマトリックスカードテーブル中の少なくとも一つを含む。
【００８７】
前記横方向カードテーブルは、所定の配列方式により配列された一つの選択カードと少なくとも一つの候補カードを含み、前記横方向カードテーブルの切替え方向として、左方向及び／又は右方向を含む。
【００８８】
前記縦方向カードテーブルは、所定の配列方式により配列された一つの選択カードと少なくとも一つの候補カードを含み、前記縦方向カードテーブルの切替え方向として、上方向及び／又は下方向を含む。
【００８９】
前記マトリックスカードテーブルは、所定の配列方式により配列された一つの選択カードと少なくとも二つの候補カードを含み、前記マトリックスカードテーブルの切替え方向として、左方向、右方向、上方向及び下方向中の少なくとも二つの互いに垂直である方向を含む。
【００９０】
図５に基づく実施例のさらに好ましい実施例において、前記所定の配列方式は、
過去の視聴時間の前後の順に順番付けする方式、又は、
過去の視聴回数の多少の順に順番付けする方式、又は、
マークされた回数の多少の順に順番付けする方式、又は、
各カードに対応するサブレベルコンテンツの番組番号の大小の順に順番付けする方式を含む。
【００９１】
以上をまとめると、これらの好ましい実施例において、さらに、第２の状態において切替え方向と対応しない方向制御信号が受信されると、他のカードテーブルの表示に切替えることにより、以下の効果が得られる。リモートコントローラ上の方向キーをクリックするのみで異なるカードテーブルに切替えることができるので、操作中にリモートコントローラを見る必要も、事前に複雑な数字指令を記憶する必要もない。
【００９２】
さらに、第１の状態において所定方向と対応しない方向制御信号が受信されると、方向制御信号及び各カードの間の所定の配列方式に基づいて、現在表示されているサブレベルコンテンツを他のカードに対応するサブレベルコンテンツに直接切替えることができるので、以下の効果が得られる。リモートコントローラ上において方向キーを一回クリックするのみで、他のサブレベルコンテンツへ迅速に切替えることができる。
【００９３】
さらに、第１の状態において決定制御信号が受信されると、サブレベルコンテンツ情報リストが表示される第３の状態に切替えることができるので、以下の効果が得られる。リモートコントローラ上の決定キーをクリックするのみで、サブレベルコンテンツ情報リストを迅速にポップアップ表示することができる。
【００９４】
さらに、第１の状態において指定方向の方向制御信号が受信され且つ第１の状態において現在表示されているサブレベルコンテンツがローカル再生コンテンツ又はオンライン再生コンテンツである場合、現在表示されているサブレベルコンテンツ上にＰＩＰウィンドウにより他のサブレベルコンテンツを表示する第４の状態に切替え、第４の状態において決定制御信号が受信されると、ＰＩＰウィンドウ中に表示された他のサブレベルコンテンツをフルスクリーン表示する第５の状態に切替えることにより、以下の効果が得られる。ローカル再生コンテンツ又はオンライン再生コンテンツを視聴する際に、ＰＩＰ機能により放送中のテレビ番組を確認することができるので、二つのサブレベルコンテンツの間で自由に切替え操作を行うことができる。
【００９５】
図６は、本願発明の一実施例に係る表示装置の構成を示す模式図である。当該表示装置は、受信機６２０、受信機６２０に電気的に接続される制御ＩＣ６４０及び制御ＩＣ６４０に電気的に接続される表示アセンブリ６６０を含む。
【００９６】
前記受信機６２０は、リモートコントローラから送信される方向制御信号又は決定制御信号を受信するためのものであり、前記方向制御信号は、前記リモートコントローラ上の方向キーが押されたときに送信される信号であり、前記決定制御信号は、前記リモートコントローラ上の決定キーが押されたときに送信される信号である。
【００９７】
前記制御ＩＣ６４０は、前記表示アセンブリ６６０が、サブレベルコンテンツは表示されるがカードテーブルは表示されない第１の状態にあり、且つ前記受信機６２０が所定方向に対応する前記方向制御信号を受信した場合、前記表示アセンブリ６６０を、前記カードテーブルが表示される第２の状態に切替えられるように制御する。当該カードテーブルは、順に配列された一つの選択カードと少なくとも一つの候補カードを含むとともに、少なくとも一つの切替え方向を有する。
【００９８】
前記制御ＩＣ６４０は、さらに、前記表示アセンブリ６６０が第２の状態にあり、且つ前記受信機６２０が前記切替え方向に対応する前記方向制御信号を受信した場合、前記表示アセンブリ６６０を制御して、前記切替え方向に基づいて、前記カードテーブル中の一つの候補カードを前記選択カードに切替える。
【００９９】
前記制御ＩＣ６４０は、さらに、前記表示アセンブリ６６０が前記第２の状態にあり且つ前記受信機６２０が前記決定制御信号を受信した場合、前記表示アセンブリ６６０を制御して、前記選択カードに対応するサブレベルコンテンツは表示されるが前記カードテーブルは表示されない第１の状態に切替える。
【０１００】
以上をまとめると、本願実施例に係る表示装置において、リモートコントローラから送信される方向制御信号と決定制御信号とにより表示装置を制御して、カードテーブルとサブレベルコンテンツの間の切替え、及びカードテーブル中の異なるカードの間の切替えを行うことにより、リモートコントローラ上の数字キーにより入力効率が低下する問題点を解消することができるので、以下の効果が得られる。数字キーを利用せず、リモートコントローラ上の方向キーと決定キーのみで異なるサブレベルコンテンツの間の切替え操作を実現することができるので、入力方法が簡単で効率がよく、操作中にリモートコントローラを見る必要も、事前に複雑な数字指令を記憶する必要もない。
【０１０１】
図６に基づく実施例のさらに好ましい実施例において、前記制御ＩＣ６４０は、さらに、前記表示アセンブリ６６０が前記第２の状態にあり且つ前記受信機６２０が前記切替え方向対応しない前記方向制御信号を受信した場合、前記表示アセンブリ６６０を制御して他のカードテーブルの表示に切替える。前記他のカードテーブルの切替え方向又は配列方式は前記カードテーブルと異なる。
【０１０２】
図６に基づく実施例のさらに好ましい実施例において、前記制御ＩＣ６４０は、前記表示アセンブリ６６０が前記第１の状態にあり、且つ前記受信機６２０が前記所定方向と対応しない前記方向制御信号を受信した場合、前記表示アセンブリ６６０を制御して、前記方向制御信号及び各カードの間の所定の配列方式に基づいて、現在表示されているサブレベルコンテンツを他のカードに対応するサブレベルコンテンツに直接切替える。
【０１０３】
図６に基づく実施例のさらに好ましい実施例において、前記制御ＩＣ６４０は、前記表示アセンブリ６６０が前記第１の状態にあり、且つ前記受信機６２０が前記決定制御信号を受信した場合、前記表示アセンブリ６６０を制御して表示を一時的に停止するか、又は前記表示アセンブリ６６０を制御して、サブレベルコンテンツ情報リストが表示される第３の状態に切替える。前記サブレベルコンテンツ情報リストは、順に配列され且少なくとも一つの切替え方向を有する各サブレベルコンテンツの概要情報を含み、前記概要情報は、番組番号、チャンネル名及び番組名中の少なくとも一つを含む。
【０１０４】
図６に基づく実施例のさらに好ましい実施例において、前記制御ＩＣ６４０は、前記表示アセンブリ６６０が前記第１の状態にあり、且つ前記受信機６２０が指定方向の前記方向制御信号を受信し、且つ前記第１の状態において現在表示されているサブレベルコンテンツがローカル再生コンテンツ又はオンライン再生コンテンツである場合、前記表示アセンブリ６６０を制御して、前記現在表示されているサブレベルコンテンツ上にＰＩＰウィンドウにより他のサブレベルコンテンツを表示する第４の状態に切替える。
【０１０５】
前記制御ＩＣ６４０は、前記表示アセンブリ６６０が前記第４の状態にあり、且つ前記受信機６２０が前記決定制御信号を受信した場合、前記表示アセンブリ６６０を制御して、前記ＰＩＰウィンドウ中に表示された前記他のサブレベルコンテンツをフルスクリーン表示する第５の状態に切替える。
【０１０６】
図６に基づく実施例のさらに好ましい実施例において、前記所定方向として、左方向と右方向中の少なくとも一つを含み、左方向と右方向とを同時に含む場合、これらの二つの方向のそれぞれは、互いに異なる配列方式及び／又は互いに異なる切替え方向を有するカードテーブルに対応する。また、前記所定方向として、上方向と下方向中の少なくとも一つを含み、上方向と下方向とを同時に含む場合、これらの二つの方向のそれぞれは、互いに異なる配列方式及び／又は互いに異なる切替え方向を有するカードテーブルに対応する。
【０１０７】
図６に基づく実施例のさらに好ましい実施例において、前記カードテーブルは、横方向カードテーブル、縦方向カードテーブル及びマトリックスカードテーブル中の少なくとも一つを含む。
【０１０８】
前記横方向カードテーブルは、所定の配列方式により配列された一つの選択カードと少なくとも一つの候補カードを含み、前記横方向カードテーブルの切替え方向として、左方向及び／又は右方向を含む。
【０１０９】
前記縦方向カードテーブルは、所定の配列方式により配列された一つの選択カードと少なくとも一つの候補カードを含み、前記縦方向カードテーブルの切替え方向として、上方向及び／又は下方向を含む。
【０１１０】
前記マトリックスカードテーブルは、所定の配列方式により配列された一つの選択カードと少なくとも二つの候補カードを含み、前記マトリックスカードテーブルの切替え方向として、左方向、右方向、上方向及び下方向中の少なくとも二つの互いに垂直である方向を含む。
【０１１１】
図６に基づく実施例のさらに好ましい実施例において、前記所定の配列方式は、
過去の視聴時間の前後の順に順番付けする方式、又は、
過去の視聴回数の多少の順に順番付けする方式、又は、
マークされた回数の多少の順に順番付けする方式、又は、
各カードに対応するサブレベルコンテンツの番組番号の大小の順に順番付けする方式を含む。
【０１１２】
以上をまとめると、これらの好ましい実施例において、さらに、表示装置は、第２の状態において切替え方向と対応しない方向制御信号が受信されると、他のカードテーブルの表示に切替えることにより、以下の効果が得られる。リモートコントローラ上の方向キーをクリックするのみで異なるカードテーブルに切替えることができるので、操作中にリモートコントローラを見る必要も、事前に複雑な数字指令を記憶する必要もない。
【０１１３】
さらに、表示装置は、第１の状態において所定方向と対応しない方向制御信号が受信されると、方向制御信号及び各カードの間の所定の配列方式に基づいて、現在表示されているサブレベルコンテンツを他のカードに対応するサブレベルコンテンツに直接切替えることにより、以下の効果が得られる。リモートコントローラ上において方向キーを一回クリックするのみで、他のサブレベルコンテンツへ迅速に切替えることができる。
【０１１４】
さらに、表示装置は、第１の状態において決定制御信号が受信されると、サブレベルコンテンツ情報リストが表示される第３の状態に切替えられることにより、以下の効果が得られる。リモートコントローラ上の決定キーをクリックするのみで、サブレベルコンテンツ情報リストを迅速にポップアップ表示することができる。
【０１１５】
さらに、表示装置は、第１の状態において指定方向の方向制御信号が受信され且つ第１の状態において現在表示されているサブレベルコンテンツがローカル再生コンテンツ又はオンライン再生コンテンツである場合、現在表示されているサブレベルコンテンツ上にＰＩＰウィンドウにより他のサブレベルコンテンツを表示する第４の状態に切替えられ、第４の状態において決定制御信号が受信されると、ＰＩＰウィンドウ中に表示された他のサブレベルコンテンツをフルスクリーン表示する第５の状態に切替えられることにより、以下の効果が得られる。ローカル再生コンテンツ又はオンライン再生コンテンツを視聴する際に、ＰＩＰ機能により放送中のテレビ番組を確認することができるので、二つのサブレベルコンテンツの間で自由に切替え操作を行うことができる。
【０１１６】
図７は、本願発明の一実施例に係るリモートコントロール方法のフローチャートである。当該リモートコントロール方法は、図１、図３又は図６により提供される実施例に係る表示装置に適用される。当該方法は、以下の各ステップを実行する。
【０１１７】
ステップ７０２において、リモートコントローラから送信される方向制御信号又は決定制御信号を受信する。方向制御信号は、リモートコントローラ上の方向キーが押されたときに送信される信号であり、決定制御信号は、リモートコントローラ上の決定キーが押されたときに送信される信号である。
【０１１８】
ステップ７０４において、サブレベルコンテンツは表示されるがカードテーブルは表示されない第１の状態において、所定方向の方向制御信号が受信されると、カードテーブルが表示される第２の状態に切替える。カードテーブルは、順に配列された一つの選択カードと少なくとも一つの候補カードを含むとともに、少なくとも一つの切替え方向を有する。
【０１１９】
ステップ７０６において、第２の状態において切替え方向に対応する方向制御信号が受信されると、切替え方向に基づいて、カードテーブル中の一つの候補カードを選択カードに切替える。
【０１２０】
ステップ７０８において、第２の状態において、決定制御信号が受信されると、選択カードに対応するサブレベルコンテンツは表示されるがカードテーブルは表示されない第１の状態に切替える。
【０１２１】
以上をまとめると、本願実施例に係るリモートコントロール方法において、リモートコントローラから送信される方向制御信号と決定制御信号により表示装置を制御して、カードテーブルとサブレベルコンテンツの間の切替え、及びカードテーブル中の異なるカードの間の切替えを行うことにより、リモートコントローラ上の数字キーにより入力効率が低下する問題点を解消することができるので、以下の効果が得られる。数字キーを利用せず、リモートコントローラ上の方向キーと決定キーのみで異なるサブレベルコンテンツの間の切替え操作を実現することができるので、入力方法が簡単で効率がよく、操作中にリモートコントローラを見る必要も、事前に複雑な数字指令を記憶する必要もない。
【０１２２】
図８は、本願発明の他の実施例に係るリモートコントロール方法のフローチャートである。当該リモートコントロール方法は、図１、図３又は図６により提供される実施例に係る表示装置に適用される。当該方法は、以下の各ステップを実行する。
【０１２３】
ステップ８０１において、リモートコントローラから送信される方向制御信号又は決定制御信号を受信する。方向制御信号は、リモートコントローラ上の方向キーが押されたときに送信される信号であり、決定制御信号は、リモートコントローラ上の決定キーが押されたときに送信される信号である。
【０１２４】
ステップ８０２において、サブレベルコンテンツは表示されるがカードテーブルは表示されない第１の状態において、所定方向の方向制御信号が受信されると、カードテーブルが表示される第２の状態に切替える。カードテーブルは、順に配列された一つの選択カードと少なくとも一つの候補カードを含むとともに、少なくとも一つの切替え方向を有する。
【０１２５】
前記所定方向として、左方向と右方向中の少なくとも一つを含み、左方向と右方向とを同時に含む場合、これらの二つの方向のそれぞれは、互いに異なる配列方式及び／又は互いに異なる切替え方向を有するカードテーブルに対応する。また、前記所定方向として、上方向と下方向中の少なくとも一つを含み、上方向と下方向とを同時に含む場合、これらの二つの方向のそれぞれは、互いに異なる配列方式及び／又は互いに異なる切替え方向を有するカードテーブルに対応する。
【０１２６】
前記カードテーブルは、横方向カードテーブル、縦方向カードテーブル及びマトリックスカードテーブル中の少なくとも一つを含む。
【０１２７】
前記横方向カードテーブルは、所定の配列方式により配列された一つの選択カードと少なくとも一つの候補カードを含み、前記横方向カードテーブルの切替え方向として、左方向及び／又は右方向を含む。
【０１２８】
前記縦方向カードテーブルは、所定の配列方式により配列された一つの選択カードと少なくとも一つの候補カードを含み、前記縦方向カードテーブルの切替え方向として、上方向及び／又は下方向を含む。
【０１２９】
前記マトリックスカードテーブルは、所定の配列方式により配列された一つの選択カードと少なくとも二つの候補カードを含み、前記マトリックスカードテーブルの切替え方向として、左方向、右方向、上方向及び下方向中の少なくとも二つの互いに垂直である方向を含む。
【０１３０】
前記所定の配列方式は、
過去の視聴時間の前後の順に順番付けする方式、又は、
過去の視聴回数の多少の順に順番付けする方式、又は、
マークされた回数の多少の順に順番付けする方式、又は、
各カードに対応するサブレベルコンテンツの番組番号の大小の順に順番付けする方式を含む。
【０１３１】
ステップ８０３において、第２の状態において切替え方向に対応する方向制御信号が受信されると、切替え方向に基づいて、カードテーブル中の一つの候補カードを選択カードに切替える。
【０１３２】
ステップ８０４において、第２の状態において、決定制御信号が受信されると、選択カードに対応するサブレベルコンテンツは表示されるがカードテーブルは表示されない第１の状態に切替える。
【０１３３】
ステップ８０５において、第２の状態において切替え方向と対応しない方向制御信号が受信されると、他のカードテーブルの表示に切替える。他のカードテーブルの切替え方向又は配列方式はカードテーブルと異なる。
【０１３４】
ステップ８０６において、第１の状態において所定方向と対応しない方向制御信号が受信されると、方向制御信号及び各カードの間の所定の配列方式に基づいて、現在表示されているサブレベルコンテンツを他のカードに対応するサブレベルコンテンツに直接切替える。
【０１３５】
ステップ８０７において、第１の状態において決定制御信号が受信されると、表示を一時的に停止するか、又は、サブレベルコンテンツ情報リストが表示される第３の状態に切替える。サブレベルコンテンツ情報リストは、順に配列され且少なくとも一つの切替え方向を有する各サブレベルコンテンツの概要情報を含み、概要情報は、番組番号、チャンネル名及び番組名中の少なくとも一つを含む。
【０１３６】
ステップ８０８において、第１の状態において指定方向の方向制御信号が受信され且つ第１の状態において現在表示されているサブレベルコンテンツがローカル再生コンテンツ又はオンライン再生コンテンツである場合、現在表示されているサブレベルコンテンツ上にＰＩＰウィンドウにより他のサブレベルコンテンツを表示する第４の状態に切替える。
【０１３７】
ステップ８０９において、第４の状態において、決定制御信号が受信されると、ＰＩＰウィンドウ中に表示された他のサブレベルコンテンツをフルスクリーン表示する第５の状態に切替える。
【０１３８】
以上をまとめると、本願実施例に係るリモートコントロール方法において、リモートコントローラから送信される方向制御信号と決定制御信号により表示装置を制御して、カードテーブルとサブレベルコンテンツの間の切替え、及びカードテーブル中の異なるカードの間の切替えを行うことにより、リモートコントローラ上の数字キーにより入力効率が低下する問題点を解消することができるので、以下の効果が得られる。数字キーを利用せず、リモートコントローラ上の方向キーと決定キーのみで異なるサブレベルコンテンツの間の切替え操作を実現することができるので、入力方法が簡単で効率がよく、操作中にリモートコントローラを見る必要も、事前に複雑な数字指令を記憶する必要もない。
【０１３９】
さらに、第２の状態において切替え方向に対応しない方向制御信号が受信されると、他のカードテーブルの表示に切替えることにより、以下の効果が得られる。リモートコントローラ上の方向キーをクリックするのみで異なるカードテーブルに切替えることができるので、操作中にリモートコントローラを見る必要も、事前に複雑な数字指令を記憶する必要もない。
【０１４０】
さらに、第１の状態において所定方向と対応しない方向制御信号が受信されると、方向制御信号及び各カードの間の所定の配列方式に基づいて、現在表示されているサブレベルコンテンツを他のカードに対応するサブレベルコンテンツに直接切替えることにより、以下の効果が得られる。リモートコントローラ上において方向キーを一回クリックするのみで、他のサブレベルコンテンツへ迅速に切替えることができる。
【０１４１】
さらに、第１の状態において決定制御信号が受信されると、サブレベルコンテンツ情報リストが表示される第３の状態に切替えられることにより、以下の効果が得られる。リモートコントローラ上の決定キーをクリックするのみで、サブレベルコンテンツ情報リストを迅速にポップアップ表示することができる。
【０１４２】
さらに、第１の状態において指定方向の方向制御信号が受信され且つ第１の状態において現在表示されているサブレベルコンテンツがローカル再生コンテンツ又はオンライン再生コンテンツである場合、現在表示されているサブレベルコンテンツ上にＰＩＰウィンドウにより他のサブレベルコンテンツを表示する第４の状態に切替えられ、第４の状態において決定制御信号が受信されると、ＰＩＰウィンドウ中に表示された他のサブレベルコンテンツをフルスクリーン表示する第５の状態に切替えられることにより、以下の効果が得られる。ローカル再生コンテンツ又はオンライン再生コンテンツを視聴する際に、ＰＩＰ機能により放送中のテレビ番組を確認することができるので、二つのサブレベルコンテンツの間で自由に切替え操作を行うことができる。
【０１４３】
前記の本願実施例の番号は、ただ説明の便宜のためであって、実施例の優劣を示すものではない。
【０１４４】
当業者であれば、前述の実施例の全部又は一部分のステップは、ハードウェアにより実現することも、プログラムにより対応するハードウェアに指令を下すことにより実現することも可能であること、を理解するだろう。前記プログラムは、コンピュータにより読取り可能な記憶媒体に記憶されてもよい。前記記憶媒体は、読取り専用メモリ、磁気ディスク又は光ディスク等であってもよい。
【０１４５】
以上は、本発明の好ましい実施例であって、本発明に対する限定ではない。本発明の趣旨と原則を逸脱しない範囲での様々な変更、均等物の置換及び改善等は、いずれも本発明の保護範囲に属する。 
【手続補正２】
【補正対象書類名】特許請求の範囲
【補正対象項目名】全文
【補正方法】変更
【補正の内容】
【特許請求の範囲】
【請求項１】
決定キー及び異なる方向それぞれに対応する方向キーを備えるリモートコントローラと、
前記リモートコントローラにより制御される表示装置と
を含み、
前記リモートコントローラは、前記方向キーが押されると、前記表示装置に、当該方向キーに対応する方向の方向制御信号を送信し、
前記表示装置は、サブレベルコンテンツは表示されるがカードテーブルは表示されない第１の状態において、所定方向の前記方向制御信号が受信されると、順に配列された一つの選択カードと少なくとも一つの候補カードを含み且つ少なくとも一つの切替え方向を有する前記カードテーブルが表示される第２の状態に切替えられ、
前記表示装置は、さらに、前記第２の状態において、前記切替え方向に対応する前記方向制御信号が受信されると、前記切替え方向に基づいて、前記カードテーブル中の一つの候補カードを前記選択カードに切替え、
前記リモートコントローラは、さらに、前記決定キーが押されると、前記表示装置に決定制御信号を送信し、
前記表示装置は、前記第２の状態において、前記決定制御信号が受信されると、前記選択カードに対応するサブレベルコンテンツは表示されるが前記カードテーブルは表示されない第１の状態に切り替えられる
ことを特徴とするリモートコントロールシステム。
【請求項２】
前記表示装置は、さらに、
前記第２の状態において、前記切替え方向と対応しない前記方向制御信号が受信されると、切替え方向又は配列方式が前記カードテーブルと異なる他のカードテーブルの表示に切替えられる
ことを特徴とする請求項１に記載のリモートコントロールシステム。
【請求項３】
前記表示装置は、さらに、
前記第１の状態において、前記所定方向と対応しない前記方向制御信号が受信されると、前記方向制御信号及び各カードの間の所定の配列方式に基づいて、現在表示されているサブレベルコンテンツを他のカードに対応するサブレベルコンテンツに直接切替える
ことを特徴とする請求項１に記載のリモートコントロールシステム。
【請求項４】
前記表示装置は、さらに、
前記第１の状態において、前記決定制御信号が受信されると、表示を一時的に停止するか、又は、サブレベルコンテンツ情報リストが表示される第３の状態に切替えられ、
前記サブレベルコンテンツ情報リストは、順に配列され且少なくとも一つの切替え方向を有する各サブレベルコンテンツの概要情報を含み、前記概要情報は、番組番号、チャンネル名及び番組名中の少なくとも一つを含む
ことを特徴とする請求項１に記載のリモートコントロールシステム。
【請求項５】
前記表示装置は、
前記第１の状態において指定方向の前記方向制御信号が受信され且つ前記第１の状態において現在表示されているサブレベルコンテンツがローカル再生コンテンツ又はオンライン再生コンテンツである場合、前記現在表示されているサブレベルコンテンツ上にＰＩＰウィンドウにより他のサブレベルコンテンツを表示する第４の状態に切替えられ、
前記第４の状態において、前記決定制御信号が受信されると、前記ＰＩＰウィンドウ中に表示された前記他のサブレベルコンテンツをフルスクリーン表示する第５の状態に切替えられる
ことを特徴とする請求項１に記載のリモートコントロールシステム。
【請求項６】
前記所定方向として、左方向と右方向中の少なくとも一つを含み、左方向と右方向とを同時に含む場合、これらの二つの方向のそれぞれは、互いに異なる配列方式及び／又は互いに異なる切替え方向を有するカードテーブルに対応し、
前記所定方向として、上方向と下方向中の少なくとも一つを含み、上方向と下方向とを同時に含む場合、これらの二つの方向のそれぞれは、互いに異なる配列方式及び／又は互いに異なる切替え方向を有するカードテーブルに対応する
ことを特徴とする請求項１乃至請求項５の何れか１項に記載のリモートコントロールシステム。
【請求項７】
前記カードテーブルは、横方向カードテーブル、縦方向カードテーブル及びマトリックスカードテーブル中の少なくとも一つを含み、
前記横方向カードテーブルは、所定の配列方式により配列された一つの選択カードと少なくとも一つの候補カードを含み、切替え方向として、左方向及び／又は右方向を含み、
前記縦方向カードテーブルは、所定の配列方式により配列された一つの選択カードと少なくとも一つの候補カードを含み、切替え方向として、上方向及び／又は下方向を含み、
前記マトリックスカードテーブルは、所定の配列方式により配列された一つの選択カードと少なくとも二つの候補カードを含み、切替え方向として、左方向、右方向、上方向及び下方向中の少なくとも二つの互いに垂直である方向を含む
ことを特徴とする請求項６に記載のリモートコントロールシステム。
【請求項８】
前記所定の配列方式は、
過去の視聴時間の前後の順に順番付けする方式、又は、
過去の視聴回数の多少の順に順番付けする方式、又は、
マークされた回数の多少の順に順番付けする方式、又は、
各カードに対応するサブレベルコンテンツの番組番号の大小の順に順番付けする方式、を含む
ことを特徴とする請求項７に記載のリモートコントロールシステム。
【請求項９】
異なる方向それぞれに対応する方向キーと、
決定キーと、
前記方向キー及び前記決定キーのそれぞれと電気的に接続される制御ＩＣと、
前記制御ＩＣと電気的に接続される発信機と
を備え、
前記制御ＩＣは、前記方向キーが押されると、前記発信機を制御して、表示装置に、当該方向キーに対応する方向の方向制御信号を送信し、前記方向制御信号は、サブレベルコンテンツは表示されるがカードテーブルは表示されない第１の状態において、前記表示装置により受信され、且つ所定方向と対応する場合、前記表示装置をトリガーして前記カードテーブルが表示される第２の状態に切替えるための信号であり、当該カードテーブルは、順に配列された一つの選択カードと少なくとも一つの候補カードを含むとともに、少なくとも一つの切替え方向を有し、前記方向制御信号は、さらに、前記第２の状態において前記表示装置により受信され且つ前記切替え方向と対応する場合、前記表示装置をトリガーして、前記切替え方向に基づいて、前記カードテーブル中の一つの候補カードを前記選択カードに切替えるための信号であり、
前記制御ＩＣは、さらに、前記決定キーが押されると、前記発信機を制御して、前記表示装置に決定制御信号を送信し、前記決定制御信号は、前記第２の状態において前記表示装置により受信されると、前記選択カードに対応するサブレベルコンテンツは表示されるが前記カードテーブルは表示されない第１の状態に切替えるための信号である
ことを特徴とするリモートコントローラ。
【請求項１０】
前記方向制御信号は、さらに、前記第２の状態において前記表示装置により受信され且つ前記切替え方向と対応しない場合、前記表示装置をトリガーして他のカードテーブルの表示に切替えるための信号であり、
前記他のカードテーブルの切替え方向又は配列方式は前記カードテーブルと異なる
ことを特徴とする請求項９に記載のリモートコントローラ。
【請求項１１】
前記方向制御信号は、さらに、前記第１の状態において前記表示装置により受信され且つ前記所定方向と対応しない場合、前記表示装置をトリガーして、前記方向制御信号及び各カードの間の所定の配列方式に基づいて、現在表示されているサブレベルコンテンツを他のカードに対応するサブレベルコンテンツに直接切替えるための信号である
ことを特徴とする請求項９に記載のリモートコントローラ。
【請求項１２】
前記決定制御信号は、さらに、前記第１の状態において前記表示装置により受信されると、前記表示装置をトリガーして表示を一時的に停止するか、又は、前記表示装置をトリガーして、サブレベルコンテンツ情報リストが表示される第３の状態に切替えるための信号であり、
前記サブレベルコンテンツ情報リストは、順に配列され且少なくとも一つの切替え方向を有する各サブレベルコンテンツの概要情報を含み、前記概要情報は、番組番号、チャンネル名及び番組名中の少なくとも一つを含む
ことを特徴とする請求項９に記載のリモートコントローラ。
【請求項１３】
前記方向制御信号は、さらに、前記第１の状態において前記表示装置により受信され、且つ指定方向と対応し、且つ前記第１の状態において現在表示されているサブレベルコンテンツがローカル再生コンテンツ又はオンライン再生コンテンツである場合、前記表示装置をトリガーして、前記現在表示されているサブレベルコンテンツ上にＰＩＰウィンドウにより他のサブレベルコンテンツを表示する第４の状態に切替えるための信号であり、
前記決定制御信号は、さらに、前記第４の状態において前記表示装置により受信されると、前記表示装置をトリガーして、前記ＰＩＰウィンドウ中に表示された前記他のサブレベルコンテンツをフルスクリーン表示する第５の状態に切替えるための信号である
ことを特徴とする請求項９に記載のリモートコントローラ。
【請求項１４】
前記所定方向として、左方向と右方向中の少なくとも一つを含み、左方向と右方向とを同時に含む場合、これらの二つの方向のそれぞれは、互いに異なる配列方式及び／又は互いに異なる切替え方向を有するカードテーブルに対応し、
前記所定方向として、上方向と下方向中の少なくとも一つを含み、上方向と下方向とを同時に含む場合、これらの二つの方向のそれぞれは、互いに異なる配列方式及び／又は互いに異なる切替え方向を有するカードテーブルに対応する
ことを特徴とする請求項９乃至請求項１３の何れか１項に記載のリモートコントローラ。
【請求項１５】
前記カードテーブルは、横方向カードテーブル、縦方向カードテーブル及びマトリックスカードテーブル中の少なくとも一つを含み、
前記横方向カードテーブルは、所定の配列方式により配列された一つの選択カードと少なくとも一つの候補カードを含み、切替え方向として、左方向及び／又は右方向を含み、
前記縦方向カードテーブルは、所定の配列方式により配列された一つの選択カードと少なくとも一つの候補カードを含み、切替え方向として、上方向及び／又は下方向を含み、
前記マトリックスカードテーブルは、所定の配列方式により配列された一つの選択カードと少なくとも二つの候補カードを含み、切替え方向として、左方向、右方向、上方向及び下方向中の少なくとも二つの互いに垂直である方向を含む
ことを特徴とする請求項１４に記載のリモートコントローラ。
【請求項１６】
前記所定の配列方式は、
過去の視聴時間の前後の順に順番付けする方式、又は、
過去の視聴回数の多少の順に順番付けする方式、又は、
マークされた回数の多少の順に順番付けする方式、又は、
各カードに対応するサブレベルコンテンツの番組番号の大小の順に順番付けする方式、を含む
ことを特徴とする請求項１５に記載のリモートコントローラ。
【請求項１７】
受信機と、
前記受信機と電気的に接続される制御ＩＣと、
前記制御ＩＣ電気的に接続される表示アセンブリと
を備え、
前記受信機は、リモートコントローラ上の方向キーが押されたときに前記リモートコントローラから送信される方向制御信号、又は前記リモートコントローラ上の決定キーが押されたときに前記リモートコントローラから送信される決定制御信号を受信し、
前記制御ＩＣは、前記表示アセンブリが、サブレベルコンテンツは表示されるがカードテーブルは表示されない第１の状態にあり、且つ前記受信機が所定方向に対応する前記方向制御信号を受信した場合、前記表示アセンブリを制御して、順に配列された一つの選択カードと少なくとも一つの候補カードを含み且つ少なくとも一つの切替え方向を有する前記カードテーブルが表示される第２の状態に切替え、
前記制御ＩＣは、さらに、前記表示アセンブリが第２の状態にあり、且つ前記受信機が前記切替え方向に対応する前記方向制御信号を受信した場合、前記表示アセンブリを制御して、前記切替え方向に基づいて、前記カードテーブル中の一つの候補カードを前記選択カードに切替え、
前記制御ＩＣは、さらに、前記表示アセンブリが前記第２の状態にあり、且つ前記受信機が前記決定制御信号を受信した場合、前記表示アセンブリを制御して、前記選択カードに対応するサブレベルコンテンツは表示されるが前記カードテーブルは表示されない第１の状態に切替える
ことを特徴とする表示装置。
【請求項１８】
前記制御ＩＣは、さらに、前記表示アセンブリが前記第２の状態にあり、且つ前記受信機が前記切替え方向と対応しない前記方向制御信号を受信した場合、前記表示アセンブリを制御して、切替え方向又は配列方式が前記カードテーブルとは異なる他のカードテーブルの表示に切替える
ことを特徴とする請求項１７に記載の表示装置。
【請求項１９】
前記制御ＩＣは、前記表示アセンブリが前記第１の状態にあり、且つ前記受信機が前記所定方向と対応しない前記方向制御信号を受信した場合、前記表示アセンブリを制御して、前記方向制御信号及び各カードの間の所定の配列方式に基づいて、現在表示されているサブレベルコンテンツを他のカードに対応するサブレベルコンテンツに直接切替える
ことを特徴とする請求項１７に記載の表示装置。
【請求項２０】
前記制御ＩＣは、前記表示アセンブリが前記第１の状態にあり、且つ前記受信機が前記決定制御信号を受信した場合、前記表示アセンブリを制御して表示を一時的に停止するか、又は、前記表示アセンブリを制御して、サブレベルコンテンツ情報リストが表示される第３の状態に切替え、
前記サブレベルコンテンツ情報リストは、順に配列され且少なくとも一つの切替え方向を有する各サブレベルコンテンツの概要情報を含み、前記概要情報は、番組番号、チャンネル名及び番組名中の少なくとも一つを含む
ことを特徴とする請求項１７に記載の表示装置。
【請求項２１】
前記制御ＩＣは、前記表示アセンブリが前記第１の状態にあり、且つ前記受信機が指定方向の前記方向制御信号を受信し、且つ前記第１の状態において現在表示されているサブレベルコンテンツがローカル再生コンテンツ又はオンライン再生コンテンツである場合、前記表示アセンブリを制御して、前記現在表示されているサブレベルコンテンツ上にＰＩＰウィンドウにより他のサブレベルコンテンツを表示する第４の状態に切替え、
前記制御ＩＣは、前記表示アセンブリが前記第４の状態にあり、且つ前記受信機が前記決定制御信号を受信した場合、前記表示アセンブリを制御して、前記ＰＩＰウィンドウ中に表示された前記他のサブレベルコンテンツをフルスクリーン表示する第５の状態に切替える
ことを特徴とする請求項１７に記載の表示装置。
【請求項２２】
前記所定方向として、左方向と右方向中の少なくとも一つを含み、左方向と右方向とを同時に含む場合、これらの二つの方向のそれぞれは、互いに異なる配列方式及び／又は互いに異なる切替え方向を有するカードテーブルに対応し、
前記所定方向として、上方向と下方向中の少なくとも一つを含み、上方向と下方向とを同時に含む場合、これらの二つの方向のそれぞれは、互いに異なる配列方式及び／又は互いに異なる切替え方向を有するカードテーブルに対応する
ことを特徴とする請求項１７乃至請求項２１の何れか１項に記載の表示装置。
【請求項２３】
前記カードテーブルは、横方向カードテーブル、縦方向カードテーブル及びマトリックスカードテーブル中の少なくとも一つを含み、
前記横方向カードテーブルは、所定の配列方式により配列された一つの選択カードと少なくとも一つの候補カードを含み、切替え方向として、左方向及び／又は右方向を含み、
前記縦方向カードテーブルは、所定の配列方式により配列された一つの選択カードと少なくとも一つの候補カードを含み、切替え方向として、上方向及び／又は下方向を含み、
前記マトリックスカードテーブルは、所定の配列方式により配列された一つの選択カードと少なくとも二つの候補カードを含み、切替え方向として、左方向、右方向、上方向及び下方向中の少なくとも二つの互いに垂直である方向を含む
ことを特徴とする請求項２２に記載の表示装置。
【請求項２４】
前記所定の配列方式は、
過去の視聴時間の前後の順に順番付けする方式、又は、
過去の視聴回数の多少の順に順番付けする方式、又は、
マークされた回数の多少の順に順番付けする方式、又は、
各カードに対応するサブレベルコンテンツの番組番号の大小の順に順番付けする方式、を含む
ことを特徴とする請求項２３に記載の表示装置。
【請求項２５】
リモートコントローラ上の方向キーが押されたときに前記リモートコントローラから送信される方向制御信号、又は前記リモートコントローラ上の決定キーが押されたときに前記リモートコントローラから送信される決定制御信号を受信するステップと、
サブレベルコンテンツは表示されるがカードテーブルは表示されない第１の状態において、所定方向の前記方向制御信号が受信されると、順に配列された一つの選択カードと少なくとも一つの候補カードを含み且つ少なくとも一つの切替え方向を有する前記カードテーブルが表示される第２の状態に切替えるステップと、
前記第２の状態において、前記切替え方向に対応する前記方向制御信号が受信されると、前記切替え方向に基づいて、前記カードテーブル中の一つの候補カードを前記選択カードに切替えるステップと、
前記第２の状態において、前記決定制御信号が受信されると、前記選択カードに対応するサブレベルコンテンツは表示されるが前記カードテーブルは表示されない第１の状態に切替えるステップと
を含むことを特徴とするリモートコントロール方法。
【請求項２６】
前記第２の状態において、前記切替え方向と対応しない前記方向制御信号が受信されると、切替え方向又は配列方式が前記カードテーブルとは異なる他のカードテーブルの表示に切替えるステップ
をさらに含むことを特徴とする請求項２５に記載のリモートコントロール方法。
【請求項２７】
前記第１の状態において、前記所定方向と対応しない前記方向制御信号が受信されると、前記方向制御信号及び各カードの間の所定の配列方式に基づいて、現在表示されているサブレベルコンテンツを他のカードに対応するサブレベルコンテンツに直接切替えるステップ
をさらに含むことを特徴とする請求項２５に記載のリモートコントロール方法。
【請求項２８】
前記第１の状態において、前記決定制御信号が受信されると、表示を一時的に停止するか、又は、サブレベルコンテンツ情報リストが表示される第３の状態に切替えるステップをさらに含み、
前記サブレベルコンテンツ情報リストは、順に配列され且少なくとも一つの切替え方向を有する各サブレベルコンテンツの概要情報を含み、前記概要情報は、番組番号、チャンネル名及び番組名中の少なくとも一つを含む
ことを特徴とする請求項２５に記載のリモートコントロール方法。
【請求項２９】
前記第１の状態において指定方向の前記方向制御信号が受信され且つ前記第１の状態において現在表示されているサブレベルコンテンツがローカル再生コンテンツ又はオンライン再生コンテンツである場合、前記現在表示されているサブレベルコンテンツ上にＰＩＰウィンドウにより他のサブレベルコンテンツを表示する第４の状態に切替えるステップと、
前記第４の状態において、前記決定制御信号が受信されると、前記ＰＩＰウィンドウ中に表示された前記他のサブレベルコンテンツをフルスクリーン表示する第５の状態に切替えるステップと
をさらに含むことを特徴とする請求項２５に記載のリモートコントロール方法。
【請求項３０】
前記所定方向として、左方向と右方向中の少なくとも一つを含み、左方向と右方向とを同時に含む場合、これらの二つの方向のそれぞれは、互いに異なる配列方式及び／又は互いに異なる切替え方向を有するカードテーブルに対応し、
前記所定方向として、上方向と下方向中の少なくとも一つを含み、上方向と下方向とを同時に含む場合、これらの二つの方向のそれぞれは、互いに異なる配列方式及び／又は互いに異なる切替え方向を有するカードテーブルに対応する
ことを特徴とする請求項２５乃至請求項２９の何れか１項に記載のリモートコントロール方法。
【請求項３１】
前記カードテーブルは、横方向カードテーブル、縦方向カードテーブル及びマトリックスカードテーブル中の少なくとも一つを含み、
前記横方向カードテーブルは、所定の配列方式により配列された一つの選択カードと少なくとも一つの候補カードを含み、切替え方向として、左方向及び／又は右方向を含み、
前記縦方向カードテーブルは、所定の配列方式により配列された一つの選択カードと少なくとも一つの候補カードを含み、切替え方向として、上方向及び／又は下方向を含み、
前記マトリックスカードテーブルは、所定の配列方式により配列された一つの選択カードと少なくとも二つの候補カードを含み、切替え方向として、左方向、右方向、上方向及び下方向中の少なくとも二つの互いに垂直である方向を含む
ことを特徴とする請求項３０に記載のリモートコントロール方法。
【請求項３２】
前記所定の配列方式は、
過去の視聴時間の前後の順に順番付けする方式、又は、
過去の視聴回数の多少の順に順番付けする方式、又は、
マークされた回数の多少の順に順番付けする方式、又は、
各カードに対応するサブレベルコンテンツの番組番号の大小の順に順番付けする方式、を含む
ことを特徴とする請求項３１に記載のリモートコントロール方法。
【請求項３３】
プロセッサに実行されることにより、請求項２５から請求項３２のいずれか１項に記載のリモートコントロール方法を実現することを特徴とするプログラム。
【請求項３４】
請求項３３に記載のプログラムが記録された記録媒体。
【国際調査報告】
2016507919.tif 000023
2016507919.tif 000024
2016507919.tif 000025
2016507919.tif 000026